(57)【特許請求の範囲】
【請求項１】
遊技に使用可能な記録媒体について所定処理を行なう機能を有し、電気的に接地可能な接地部を有する記録媒体処理装置が電気的に接続可能であり、前記記録媒体を用いて遊技媒体を貸出す操作が行われたときに遊技媒体を払出す払出装置が備えられ、該払出装置から払出された遊技媒体を用いて遊技が行なわれる遊技機であって、
前記遊技媒体と接触可能な所定位置に設けられた導電性を有する接触部材と、
前記記録媒体処理装置に対し各種情報の送受信を行うために、該記録媒体処理装置からの情報送受信用配線が接続される基板とを含み、
前記基板は、
該基板と前記接触部材とを電気的に接続するための第１のコネクタと、
前記記録媒体処理装置の前記接地部に電気的に接続される静電気放電用配線および前記情報送受信用配線の複数本の配線を纏めて接続し、前記接触部材が受けた静電気の放電が可能な態様で、当該接触部材を前記基板と前記静電気放電用配線とを介して前記記録媒体処理装置の前記接地部に電気的に接続するための第２のコネクタとを有することを特徴とする、遊技機。
【請求項２】
前記遊技機に補給された前記遊技媒体を貯留する補給遊技媒体貯留部をさらに含み、
前記接触部材は、前記補給遊技媒体貯留部において遊技媒体と接触可能な所定位置に設けられた補給遊技媒体用接触部材を含むことを特徴とする、請求項１に記載の遊技機。
【請求項３】
前記接触部材は、前記払出装置から払出された遊技媒体を該遊技媒体の貯留および発射位置への誘導が可能な払出遊技媒体貯留部まで誘導する払出遊技媒体誘導通路において、遊技媒体と接触可能な所定位置に設けられた払出遊技媒体用接触部材を含むことを特徴とする、請求項１または２に記載の遊技機。
【請求項４】
前記接触部材は、前記払出装置から払出された遊技媒体の貯留および発射位置への誘導が可能な払出遊技媒体貯留部に形成されて遊技媒体を整列させ、発射位置に誘導する整列通路において、遊技媒体と接触可能な所定位置に設けられた整列遊技媒体用接触部材を含むことを特徴とする、請求項１から３のいずれかに記載の遊技機。
【請求項５】
前記接触部材は、前記払出装置から払出された遊技媒体の貯留および発射位置への誘導が可能な払出遊技媒体貯留部が遊技媒体で満杯の場合に、前記払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、遊技媒体と接触可能な所定位置に設けられた余剰遊技媒体用接触部材を含むことを特徴とする、請求項１から４のいずれかに記載の遊技機。
【請求項６】
前記接触部材は、前記払出装置から払出された遊技媒体の貯留および発射位置への誘導が可能な払出遊技媒体貯留部が遊技媒体で満杯の場合に前記払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、遊技媒体と接触可能な所定位置に設けられた貯留誘導遊技媒体用接触部材を含むことを特徴とする、請求項１から５のいずれかに記載の遊技機。
【請求項７】
前記接触部材の前記基板への接続は、前記遊技機の開閉部において蝶着部を構成する導電性部材により中継されることを特徴とする、請求項１から６のいずれかに記載の遊技機。
【請求項８】
前記払出装置が設けられて遊技媒体を払出すための機構部に設けられる導電性部材と前記基板とは、複数の配線によって電気的に接続され、
該複数の配線は、複数の接続端子を有する前記第１のコネクタを用いた接続形態により、前記基板に接続されることを特徴とする、請求項１から７のいずれかに記載の遊技機。
【発明の詳細な説明】
【０００１】
【発明の属する技術分野】
本発明は、たとえば、パチンコ遊技機やコイン遊技機あるいはスロットマシン等で代表される遊技機に関する。詳しくは、遊技に使用可能な記録媒体について所定処理を行なう機能を有し、電気的に接地可能な接地部を有する記録媒体処理装置が電気的に接続可能であり、前記記録媒体を用いて遊技媒体を貸出す操作が行われたときに遊技媒体を払出す払出装置が備えられ、該払出装置から払出された遊技媒体を用いて遊技が行なわれる遊技機に関する。
【０００２】
【従来の技術】
この種の遊技機において、従来から一般的に知られているものに、たとえば、パチンコ玉に代表される遊技媒体を用いて遊技が行なわれる遊技機があった。このような遊技機は、遊技機の軽量化あるいはコストダウン等の各種事情により、遊技媒体を誘導または貯留する構造物が合成樹脂により形成されていた。
【０００３】
従来の遊技機においては、このような構造であるため、遊技媒体と、遊技媒体を誘導または貯留する構造物との接触による摩擦で静電気が発生し、遊技媒体に静電気が帯電し、これによって遊技機が帯電するという問題があった。その他、このような遊技機においては、各種駆動装置の動作時に静電気が発生し、その静電気が遊技機に帯電するという問題もあった。このような遊技機における静電気の帯電は、遊技機に設けられた各種電気機器を誤作動させる原因になるとともに、遊技者への放電により遊技者に不快感を与える原因になる等、遊技機にとって不都合な問題を生じさせていた。
【０００４】
これに対し、従来では、遊技機の外部に放電用の配線を設け、その放電用の配線を遊技機の外側で接地させる配線処理を行なうことにより、その放電用の配線から静電気を放電することが行なわれていた。
【０００５】
【発明が解決しようとする課題】
しかし、従来においては、遊技機に設けられた接地用の配線を用いて静電気を放電する構造を用いていたため、接地配線のための配線処理等、静電気の除去のために極めて煩雑な作業が必要であった。
【０００６】
本発明は、かかる実情に鑑み考え出されたものであり、その目的は、遊技機において帯電した静電気の除去を、煩雑な作業を要することなく容易に行なうことが可能となる遊技機を提供することである。
【０００７】
【課題を解決するための手段】
請求項１に記載の本発明は、遊技に使用可能な記録媒体について所定処理を行なう機能を有し、電気的に接地可能な接地部を有する記録媒体処理装置が電気的に接続可能であり、前記記録媒体を用いて遊技媒体を貸出す操作が行われたときに遊技媒体を払出す払出装置が備えられ、該払出装置から払出された遊技媒体を用いて遊技が行なわれる遊技機であって、
前記遊技媒体と接触可能な所定位置に設けられた導電性を有する接触部材と、
前記記録媒体処理装置に対し各種情報の送受信を行うために、該記録媒体処理装置からの情報送受信用配線が接続される基板とを含み、
前記基板は、
該基板と前記接触部材とを電気的に接続するための第１のコネクタと、
前記記録媒体処理装置の前記接地部に電気的に接続される静電気放電用配線および前記情報送受信用配線の複数本の配線を纏めて接続し、前記接触部材が受けた静電気の放電が可能な態様で、当該接触部材を前記基板と前記静電気放電用配線とを介して前記記録媒体処理装置の前記接地部に電気的に接続するための第２のコネクタとを有することを特徴とする。
【００１０】
請求項２に記載の本発明は、請求項１に記載の発明の構成に加えて、前記遊技機に補給された前記遊技媒体を貯留する補給遊技媒体貯留部をさらに含み、
前記接触部材は、前記補給遊技媒体貯留部において遊技媒体と接触可能な所定位置に設けられた補給遊技媒体用接触部材を含むことを特徴とする。
【００１１】
請求項３に記載の本発明は、請求項１または２に記載の発明の構成に加えて、前記接触部材は、前記払出装置から払出された遊技媒体を該遊技媒体の貯留および発射位置への誘導が可能な払出遊技媒体貯留部まで誘導する払出遊技媒体誘導通路において、遊技媒体と接触可能な所定位置に設けられた払出遊技媒体用接触部材を含むことを特徴とする。
【００１２】
請求項４に記載の本発明は、請求項１から３のいずれかに記載の発明の構成に加えて、前記接触部材は、前記払出装置から払出された遊技媒体の貯留および発射位置への誘導が可能な払出遊技媒体貯留部に形成されて遊技媒体を整列させ、発射位置に誘導する整列通路において、遊技媒体と接触可能な所定位置に設けられた整列遊技媒体用接触部材を含むことを特徴とする。
【００１３】
請求項５に記載の本発明は、請求項１から４のいずれかに記載の発明の構成に加えて、前記接触部材は、前記払出装置から払出された遊技媒体の貯留および発射位置への誘導が可能な払出遊技媒体貯留部が遊技媒体で満杯の場合に、前記払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、遊技媒体と接触可能な所定位置に設けられた余剰遊技媒体用接触部材を含むことを特徴とする。
【００１４】
請求項６に記載の本発明は、請求項１から５のいずれかに記載の発明の構成に加えて、前記接触部材は、前記払出装置から払出された遊技媒体の貯留および発射位置への誘導が可能な払出遊技媒体貯留部が遊技媒体で満杯の場合に前記払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、遊技媒体と接触可能な所定位置に設けられた貯留誘導遊技媒体用接触部材を含むことを特徴とする
【００１５】
請求項７に記載の本発明は、請求項１から６のいずれかに記載の発明の構成に加えて、前記接触部材の前記基板への接続は、前記遊技機の開閉部において蝶着部を構成する導電性部材により中継されることを特徴とする。
【００１７】
請求項８に記載の本発明は、請求項１から７のいずれかに記載の発明の構成に加えて、前記払出装置が設けられて遊技媒体を払出すための機構部に設けられる導電性部材と前記基板とは、複数の配線によって電気的に接続され、
該複数の配線は、複数の接続端子を有する前記第１のコネクタを用いた接続形態により、前記基板に接続されることを特徴とする。
【００１８】
【作用】
請求項１に記載の本発明によれば、次のように作用する。記録媒体処理装置に対し各種情報の送受信を行うために、該記録媒体処理装置からの情報送受信用配線が接続される基板に、該基板と接触部材とを電気的に接続するための第１のコネクタと、記録媒体処理装置の接地部に電気的に接続される静電気放電用配線および情報送受信用配線の複数本の配線を纏めて接続し、遊技媒体と接触可能な所定位置に設けられた導電性を有する接触部材が受けた静電気の放電が可能な態様で、当該接触部材が基板と静電気放電用配線を介して記録媒体処理装置の接地部に電気的に接続するための第２のコネクタとが設けられている。
【００２１】
請求項２に記載の本発明は、請求項１に記載の発明の作用に加えて、次のように作用する。補給遊技媒体貯留部の働きにより、遊技機に補給された遊技媒体が貯留される。接触部材が、補給遊技媒体貯留部において遊技媒体と接触可能な所定位置に設けられた補給遊技媒体用接触部材を含んでいる。
【００２２】
請求項３に記載の本発明は、請求項１または２に記載の発明の作用に加えて、次のように作用する。払出装置から払出された遊技媒体を該遊技媒体の貯留および発射位置への誘導が可能な払出遊技媒体貯留部まで誘導する払出遊技媒体誘導通路において、接触部材が、遊技媒体と接触可能な所定位置に設けられた払出遊技媒体用接触部材を含んでいる。
【００２３】
請求項４に記載の本発明は、請求項１から３のいずれかに記載の発明の作用に加えて、次のように作用する。払出装置から払出された遊技媒体の貯留および発射位置への誘導が可能な払出遊技媒体貯留部に形成されて遊技媒体を整列させ、発射位置に誘導する整列通路において、接触部材が、遊技媒体と接触可能な所定位置に設けられた整列遊技媒体用接触部材を含んでいる。
【００２４】
請求項５に記載の本発明は、請求項１から４のいずれかに記載の発明の作用に加えて、次のように作用する。払出装置から払出された遊技媒体の貯留および発射位置への誘導が可能な払出遊技媒体貯留部が遊技媒体で満杯の場合に、払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、接触部材が、遊技媒体と接触可能な所定位置に設けられた余剰遊技媒体用接触部材を含んでいる。
【００２５】
請求項６に記載の本発明は、請求項１から５のいずれかに記載の発明の作用に加えて、次のように作用する。払出装置から払出された遊技媒体の貯留および発射位置への誘導が可能な払出遊技媒体貯留部が遊技媒体で満杯の場合に払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、接触部材が、遊技媒体と接触可能な所定位置に設けられた貯留誘導遊技媒体用接触部材を含んでいる。
【００２６】
請求項７に記載の本発明は、請求項１から６のいずれかに記載の発明の作用に加えて、次のように作用する。接触部材の接続が遊技機の開閉部において蝶着部を構成する導電性部材により中継される。
【００２８】
請求項８に記載の本発明は、請求項１から７のいずれかに記載の発明の作用に加えて、次のように作用する。払出装置が設けられて遊技媒体を払出すための機構部に設けられる導電性部材と基板とは、複数の配線によって電気的に接続される。そして、これら複数の配線は、複数の接続端子を有する第１のコネクタを用いた接続形態により、基板に接続される。
【００２９】
【発明の実施の形態】
次に、本発明の実施の形態を図面に基づいて詳細に説明する。なお、本実施の形態では、遊技機の一例としてパチンコ遊技機をとり上げて説明するが、本発明はこれに限らず、たとえば、コイン遊技機やスロットマシン等であってもよく、遊技媒体を用いて遊技が行なわれる遊技機であればすべて対象となる。
【００３０】
第１実施形態
図１は、パチンコ遊技機１の正面図である。図２は、パチンコ遊技機１に設けられる遊技盤４０の拡大正面図である。図３は、パチンコ遊技機１の背面図である。図４および図５は、パチンコ遊技機１に設けられる制御回路のブロック図である。
【００３１】
パチンコ遊技機１は、縦長な方形状に枠組形成される外枠２と、該外枠２の内側に開閉自在に軸支されかつ弾球遊技機１の主要構成部のほぼすべてが集約して設けられる前面枠３と、該前面枠３の前面上部に開閉自在に設けられる前面開閉枠４とから構成されている。また、前面枠３に設けられる主要構成部としては、上記した前面開閉枠４、遊技盤４０、上皿１９、下皿２７、灰皿２９、操作ハンドル３０、機構部１００、および、打球発射装置８７がある。また、図示の実施の形態では、パチンコ遊技機１の側方において、遊技者に対し遊技媒体の一例としての遊技玉（遊技用のパチンコ玉）を貸出すためのカードユニット３１（記録媒体用の情報処理装置）が付設されている。
【００３２】
前面開閉枠４には、後述する遊技盤４０の遊技領域４１をほぼ透視し得る円形透視窓５が開設され、該円形透視窓５の裏面からガラス板が装着されている。また、前面開閉枠４の上側には、円形透視窓５の外周に沿って、複数の装飾ランプ６〜８および複数の装飾ＬＥＤ１３，１４が設けられている。これら装飾ランプ６〜８および装飾ＬＥＤ１３，１４は、遊技状態に応じて点灯または点滅されるものであり、特別の遊技状態の発生時や継続時を遊技者に報知するとともに、遊技の雰囲気を盛り上げるものである。また、円形透視窓５の外周には、払出すべき賞球が不足したこと（後述する球切れスイッチ１１５が作動したとき）を報知する玉切れランプ９や、入賞玉の発生に基づいて所定個数の賞球が払出されたことを報知する賞球ランプ１０が設けられている。なお、ここでは、所定個数の賞球が払出されたことを賞球ランプ１０により報知（点灯等による報知）する例を示したが、これに代わり、賞球の未払出数がある場合に賞球ランプ１０によりその旨を報知するようにしてもよい。さらに、円形透視窓５の外周には、前面開閉枠４の上部左右において、遊技の進行に応じ効果音を発生するスピーカ１２ａ，１２ｂが設けられている。なお、スピーカ１２ａ，１２ｂの前面には、網目状ネット１１が取付られ、スピーカ１２ａ，１２ｂから発生される音声を通すようになっている。また、円形透視窓５の外周には、遊技盤４０に貼付けられる証紙を視認するための透視レンズ３９が設けられている。
【００３３】
上記した装飾ランプ６〜８、玉切れランプ９、賞球ランプ１０、装飾ＬＥＤ１３，１４は、図４に示すように、それぞれプリント配線基板で構成されるランプ基板６ａ，７ａ，８ａ，９ａ，１０ａやＬＥＤ基板１３ａ〜１３ｄに実装されて前面枠３の前面側や前面開閉枠４の裏面側に取付けられている。そして、各ランプ基板６ａ，７ａ，８ａ，９ａ，１０ａが枠用電飾中継基板１５（図４において枠用電飾中継基板Ｂと表示）に接続され、各ＬＥＤ基板１３ａ〜１３ｄが電飾中継基板１６（図４において枠用電飾中継基板Ｃと表示）に接続されている。電飾中継基板１５，１６は、前面枠３の裏面下部に取付けられる中継基板端子台９５に止着される枠用電飾中継基板９６（図４において枠用電飾中継基板Ａと表示）に接続された後、後述する電飾制御基板８０に接続されている。電飾制御基板８０は、後述する遊技制御基板としての主基板１５１からの情報信号の種類に応じて上記した装飾ランプ６〜８、玉切れランプ９、賞球ランプ１０、装飾ＬＥＤ１３〜１４を表示制御するものである。
【００３４】
主基板１５１は、遊技制御用のマイクロコンピュータを含む。この遊技制御用のマイクロコンピュータは、遊技制御用のプログラム等を記憶するＲＯＭ、ワークメモリとして使用されるＲＡＭ、遊技制御用のプログラムに従って制御動作を行なうＣＰＵ、および、データの入出力用のＩ／Ｏポートを含む。このような遊技制御用のマイクロコンピュータは、定期的（たとえば２ｍｓｅｃ毎）にリセットされてＲＯＭに記憶されている遊技制御プログラムを先頭から繰返し実行し、各種の遊技制御を行なう。また、電飾制御基板８０にも、主基板１５１と同様に、制御用のＣＰＵ、ＲＯＭ、ＲＡＭ等を含み、電飾制御を行なうマイクロコンピュータが設けられている。
【００３５】
なお、電飾中継基板１５は、前面枠３の前面側に取付けられ（これに対応してランプ基板も前面枠３の前面側に取付けられている）、電飾中継基板１６は、前面開閉枠４の裏面側に取付けられている（これに対してＬＥＤ基板も前面開閉枠４の裏面側に取付けられている）。なお、図示しないが、前面開閉枠４を開放したことを検出するためにドアスイッチが設けられることがある。この場合には、ドアスイッチの配線は後述する枠用スイッチ中継基板に一旦接続された後、主基板１５１に入力され、主基板１５１からの情報信号に基づいて電飾制御基板８０によってランプ６〜８、９、１０の一部または全部が点灯制御されることにより、前面開閉枠４が開放されたことを報知するようになっている。
【００３６】
また、スピーカ１２ａ，１２ｂから延びる配線は、前面開閉枠４の上方における左右裏面に取付けられる効果音中継基板１７ａ，１７ｂ（図４において、効果音中継基板Ｂ，Ｃと表示）に一旦接続され、その後、前面枠３の裏面下部に取付けられる中継基板端子台９５に止着される効果音中継基板９７（図４において、効果音中継基板Ａと表示）に接続された後、後述する効果音制御基板８２に接続されている。効果音制御基板８２は、主基板１５１からの情報信号の種類に応じてスピーカ１２ａ，１２ｂを駆動制御するものである。効果音制御基板８２にも、主基板１５１と同様に、制御用のＣＰＵ、ＲＯＭ、ＲＡＭ等を含み、効果音制御を行なうマイクロコンピュータが設けられている。
【００３７】
次に、前面開閉枠４の下側に取付けられる上皿１９の構成について説明する。上皿１９は、複数の合成樹脂製部材を組合せた皿部材を固着することにより構成されている。上皿１９の開放側の上方には、玉抜き操作レバー２１が設けられている。この玉抜き操作レバー２１は、左右方向に移動可能に設けられ、図示しないスプリングの付勢力に抗して一方向に移動させることにより、上皿１９に貯留されていた玉を裏面側に形成される玉抜き路（図示しない）を流下させて下皿２７に誘導するものである。なお、上皿１９には、その内部に圧電ブザー２２を設けてもよい。この圧電ブザー２２は、遊技玉の貸出異常が生じたとき（たとえばピッ、ピッ、ピッという連続音）、あるいは遊技玉の貸出時（たとえば、１００円相当の遊技玉が払出されるごとにピーという音）に、その旨を報知する報知音が発生されるものである。
【００３８】
上記した上皿１９について、さらに詳細に説明すると、上皿１９は、その上流側に形成される賞球払出口２０から払出された賞球を一旦貯留した後、図示しない発射位置に玉を供給するものである。また、上皿１９は、パチンコ遊技機１に隣接して設けられるカードユニット３１を介して遊技玉を借受ける際に操作する操作部とともに、これらを設置する中空の部材である上皿化粧部１９０の上面側に設けられている。上皿化粧部１９０に設けられた操作部は、球貸スイッチ２４と返却スイッチ２５（ともに図５，９参照）と残高表示器（図示省略）とが実装される残高表示基板２３からなり、該残高表示基板２３が上皿化粧部１９０の上面側に設けられている。
【００３９】
球貸スイッチ２４は、カードユニット３１によって遊技玉を借受ける際に操作するものであり、返却スイッチ２５は、遊技終了の際にカードユニット３１の挿入口３４に差込まれたカード（遊技に使用可能なカード）を返却するためのものである。また、残高表示器は、カードユニット３１のカード挿入口３４に差込まれたカードの残高が表示されるものである。なお、上皿１９に設けられる上記した球貸スイッチ２４、返却スイッチ２５、および、残高表示器が実装される残高表示基板２３から延びる上皿配線は、前面枠３の軸支側の下部に形成される配線透視開口（図示しない）から前面枠３の裏側に引出されて後述する払出制御基板１４４に接続されている。
【００４０】
さらに、上皿１９の開放側末端には、前面開閉枠４を前面枠３に対して施錠しかつ前面枠３を外枠２に対して施錠する施錠装置８４（図３参照）を操作するためのシリンダ錠２６が臨んでいる。また、前面開閉枠４の軸支側上部には、玉抜きピン挿入口（図示省略）が形成されている。そして、この玉抜きピン挿入口から図示しない玉抜きピンを差込む操作により、これに連結される玉抜き操作管（図示しない）を上下方向に揺動させて玉抜き口を閉塞したり開放したりするようになっている。
【００４１】
なお、前面開閉枠４の軸支側下部には、起伏部が形成され該起伏部に、イヤホーンジャックと、イヤホーンジャックから聞こえる音楽を選択するための選択スイッチとが設けられてもよい。
【００４２】
また前面枠３の下部に設けられる下皿２７は、上皿１９から溢れた賞球であって、後述する余剰球通路１２８を介して下皿用開口９３（ともに図３参照）から排出される余剰の賞球を貯留するものである。下皿２７の前面壁には、玉抜き操作レバー２８がスライド可能に取付けられるようになっている。この玉抜き操作レバー２８を操作することにより、下皿２７に貯留されていた賞球を下方に玉抜きして持ち運び可能な玉箱に移替えることができる。また、下皿２７の左側には、灰皿２９が設けられ、右側には操作ハンドル３０が設けられている。操作ハンドル３０は、図３に示す打球発射装置８７の発射装置電動機８８（モータ）の駆動を開始させる単発発射スイッチ９１およびタッチセンサ９２（ともに図６に符号だけ表示）を内蔵しているとともに、弾発力を調節するものである。
【００４３】
パチンコ遊技機１の正面構造は、概ね上記したとおりであるが、図示の実施の形態では、パチンコ遊技機１にカードユニット３１が隣接されている。このカードユニット３１は、上皿１９の上面に設けられる前述した球貸スイッチ２４や返却スイッチ２５等の操作部を操作することにより作動されるものである。カードユニット３１には、使用可能状態であるか否かを表示する使用可能表示器３２と、当該カードユニット３１がいずれの側のパチンコ遊技機１に対応しているかを表示する連結台方向表示器３３と、記録媒体としての磁気カードを挿入するカード挿入口３４とが設けられている。そして、このように構成されるカードユニット３１には、独自の制御回路によって制御されるものであるが、後述する払出制御基板１４４とカードユニット配線３５とを介して接続されている。また、カードユニット３１には、パチンコ遊技機１の電源コード１３５とは別の独立した電源コード（後述する電源コード３１１）によって電源が供給されている。
【００４４】
一方、パチンコ遊技機１の背面には、図３に示すように、入賞玉の発生に基づいて所定個数の賞球を払出すための各種の機構を装備した機構部１００が設けられている。操作ハンドル３０に対応する裏面には、発射装置電動機８８および打球樋（図示しない）を有する打球発射装置８７が固着されている。その打球発射装置８７の側方には、機構部１００の後述する余剰球通路１２８を流下する賞球を下皿２７に誘導する接続樋（図示しない）が固着されている。さらに接続樋の側方に中継基板取付台９５が取付けられている。外枠２に対する前面枠３の開放側裏面には、外枠２の掛止片８５に対する前面枠３の施錠および前面枠３に対する前面開閉枠４の施錠を行なう施錠装置８４が設けられている。
【００４５】
上記した構成のうち、打球発射装置８７には、発射制御基板９０が付設されており、この発射制御基板９０によって、打球発射装置８７が駆動制御されるようになっている。なお、発射制御基板９０は、図３に示すように、発射制御基板カバー８９によって被覆されており、この発射制御基板カバー８９から外部に露出している位置に設けられるコネクタを介して図５に示すように後述する払出制御基板１４４と接続されており、所定の状態となったときに払出制御基板１４４から停止信号を受けて打玉の発射を行なえないようになっている。また、中継基板取付台９５には、電飾中継基板９６、効果音中継基板９７、発射制御中継基板９８、および、発射制御電源中継基板９９が所定の位置に取付けられている。この中継基板取付台９５については後に詳述する。
【００４６】
以上で、パチンコ遊技機１の全体の概略構成を説明したが、以下、パチンコ遊技機１を構成する要素のうち、遊技盤４０と、機構部１００とのそれぞれの詳細な構成について順次説明する。
【００４７】
まず、図２および図３を参照して、遊技盤４０について説明する。遊技盤４０の正面構造について図２を参照して説明する。遊技盤４０は、前面枠３の裏面側に一体的に形成される遊技盤収納枠３６に収納固定されるべく、ほぼ正方形状の合板により形成されている。遊技盤４０の表面には、円形渦巻状に誘導レール４２が取付けられている。該誘導レール４２の内側は、遊技領域４１とされて発射された打玉が落下するものである。遊技領域４１には、図示の場合、特別可変表示装置４４、特別可変入賞球装置４８、普通可変入賞球装置５８、普通可変表示装置６１等が設けられるとともに、単に打玉を入賞とする入賞口、打玉の流下方向、速度を変化せしめる風車または多数の障害釘が設けられている。また、遊技領域４１の最下方には、いずれの入賞領域にも入賞しなかった打玉が取込まれるアウト口６９が設けられている。
【００４８】
遊技領域４１の構成をその遊技動作に従って詳細に説明する。遊技領域４１の中央よりもやや下方の左側に設けられる普通可変表示装置６１には、遊技領域４１を落下する打玉の通過を検出する通過玉検出器６２、該通過玉検出器６２の検出信号に基づいて可変表示して表示結果を導出する普通図柄表示器６３、および、普通図柄表示器６３の可変表示中に通過玉検出器６２を通過した打玉数を記憶表示する普通図柄記憶ＬＥＤ６４（最高４個まで記憶表示する）等が設けられている。普通図柄表示器６３の表示結果が予め定められた当り図柄（０〜９までの数字の可変表示において、７が停止表示された場合）である場合には、普通可変入賞球装置５８が所定時間開放される。なお、普通図柄表示器６３の可変表示時間は、通常確率モードのときに相対的に長く（たとえば、３０秒）、確率変動モードのときに相対的に短く（たとえば、３〜５秒）設定されている。
【００４９】
普通可変入賞球装置５８は、遊技領域４１のほぼ中央に配置される特別可変表示装置４４と遊技領域４１のアウト口６９の上部に配置される特別可変入賞球装置４８との間に配置され、ソレノイド５９によって開閉駆動される電動チューリップタイプの可変入賞球装置である。そして、普通可変入賞球装置５８には、始動玉検出器６０が内蔵され、開放中または閉成中に受入れた入賞玉を検出するようになっている。打玉が始動玉検出器６０によって検出されると、特別可変表示装置４４が可変表示を開始する。普通可変入賞球装置５８の開放時間は、通常確率モードのときに相対的に短く（たとえば０．５秒）、確率変動モードのときに相対的に長く（たとえば２秒）設定されている。また、普通可変入賞球装置５８が開放していない場合でも打玉を受入れるようになっている。
【００５０】
特別可変表示装置４４は、複数の図柄を可変表示する液晶タイプの可変表示器からなり、遊技領域４１のほぼ中央に配置される。そして、特別可変表示装置４４での可変表示の停止時における図柄の組合せが予め定められた大当り図柄の組合せ（たとえば同一の図柄が当りラインのいずれかに揃った場合）である場合には、大当り遊技状態となって特別可変入賞球装置４８が次に説明するような所定の態様で開閉駆動される。大当り図柄の組合せの一部は確率変動図柄として設定されている。この確率変動図柄で大当り遊技状態となったときには、その大当り遊技状態終了後における普通図柄表示器６３における当り図柄の出現確率や特別可変表示装置４４における大当り図柄の出現確率が高くなる確率変動モードとなるように制御される。特別可変表示装置４４は、遊技盤４０の表面側に取付けられる飾り基板（符号なし）を備え、該飾り基板の上部に入賞玉検出器４７ａを内蔵する通常入賞口４７が形成されている。また、特別可変表示装置４４においては、その通常入賞口４７の下部および可変表示器を囲むように飾りＬＥＤ４５が取付けられている。さらに、特別可変表示装置４４の下部中央に特別可変表示装置４４の可変動作中に始動玉検出器６０によって検出された玉数を記憶表示する特別図柄始動記憶ＬＥＤ４６（最高４個まで記憶表示する）が取付けられている。さらに、特別可変表示装置４４には、符号を付与しないが、飾りランプ等も設けられている。
【００５１】
大当り遊技状態となったときに駆動制御される特別可変入賞球装置４８は、ソレノイド５０によって開閉駆動される開閉板４９を有する。開閉板４９に受入れられた打玉を検出する特定玉検出器５１および入賞個数検出器５２が設けられている。なお、開閉板４９に受入れられた打玉は、特定玉検出器５１および入賞個数検出器５２のいずれかで１回だけ検出されるようになっている。大当り遊技状態となった場合には、一定時間（たとえば２８秒）が経過するまで、または、その一定時間内に所定個数（たとえば、１０個）の入賞玉が入賞するまで開閉板４９を開放（以下、この開放を開放サイクルという）し、その開放サイクル中に受入れられた打玉が特定玉検出器５１によって検出されたときに継続権が成立して、再度上記した開放サイクルが実行され、各開放サイクルにおいて継続権が成立していることを条件に最高１６回の開放サイクルを繰返すことができるようになっている。さらに、特別可変入賞球装置４８には、入賞玉検出器５５ａ，５５ｂを内蔵する通常入賞口５４ａ，５４ｂ、開閉板４９が開放していることを表示するアタッカーランプ５６、継続権が成立していることを表示する飾りランプ、および、大当り遊技状態である旨を報知する飾りランプ，飾りＬＥＤ５７が設けられている。
【００５２】
遊技領域４１には、上記した構成以外に、飾りランプ６５ｂ、入賞玉検出器６５ａを内蔵する入賞口６５、飾りランプ６６ａ付き風車６６、サイド飾りランプ６７ａを内蔵するサイド飾り６７等が設けられている。
【００５３】
以上に説明した実施の形態において、打球が入賞する入賞口および入賞装置には、入賞玉を検出するための入賞玉検出器４７ａ，５１，５２，５５ａ，５５ｂ，６０，６５ａがすべて設けられている。これは、これらの検出信号に基づいて所定個数の賞球を払出すために使用されるものである。これらの入賞玉検出器４７ａ，５１，５２，５５ａ，５５ｂ，６５ａは、図５に示すように、次に説明する中継基板７７を介して主基板１５１に接続され、主基板１５１では、これらの検出器からの検出信号を記憶するとともに順次払出制御基板１４４に賞球個数信号を導出して入賞に対応する賞球を払出するように後述する球払出装置１１６を駆動制御するようになっている。また、検出器５１は、継続権の成立を検出する機能を兼用しており、検出器５２は、開閉板４９の開放を規制するための計数機能を兼用している。
【００５４】
また、始動玉検出器６０は、図８に示すように、中継基板７７を介することなく直接主基板１５１と接続されて始動信号と入賞信号（ただし他の入賞玉検出器４７ａ，５２，５５ａ，５５ｂ，６５ａによって導出される賞球個数情報は、相対的に多い個数、たとえば、１３個や１５個であるのに対し、始動玉検出器６０に基づく賞球個数情報は、相対的に少ない個数、たとえば５個や７個である）を入力している。これは、始動玉検出器６０からの配線を直接主基板１５１に接続することにより、その途中に不正な回路基板を組込んだ配線（ぶら下がり基板等と称されている）が接続されているか否かの発見を容易にするためである。また、始動玉検出器６０と主基板１５１とを直接接続する配線は、他の配線の色と明らかに異なる色（本実施の形態の場合には、ピンクと黄の蛍光色）としたので、この点からも始動玉検出器６０からの配線に不正が行なわれているか否かを見分けやすい。
【００５５】
遊技盤４０の遊技領域４１には、前述したようにスイッチやソレノイド、あるいは飾りランプや飾りＬＥＤ等の電気的部品が多数設けられるが、これらは、次に説明する第１入賞玉誘導カバー体７０の裏面に取付けられる中継基板７６，７７を介して主基板１５１や電飾制御基板８０に接続されるようになっている。すなわち、図５に示すように、遊技盤面に設けられる各スイッチ４７ａ，５１，５２，５５ａ，５５ｂ，６２，６５ａ、各ソレノイド５０，５９、および、普通図柄表示器６３、記憶表示ＬＥＤ４６，６４は、中継基板７７（中継基板Ａと表示）を介して主基板１５１に接続されている。遊技盤面に設けられる飾りランプを実装している飾りランプ基板５６，６６ａ，６７ａ、および、遊技盤面に設けられる飾りＬＥＤを実装している飾りＬＥＤ基板４５，５７は、それぞれが中継基板７６を介して電飾制御基板８０に接続されている。
【００５６】
一方、遊技盤４０の裏面には、図３に示すように、特別可変表示装置４４の裏面が突出して設けられている。この特別可変表示装置４４の裏面部分には、表示制御基板７５が表示制御基板カバー７４に被覆されて取付けられている。表示制御基板７５は、特別可変表示装置４４の可変表示器の可変表示動作を主基板１５１からの情報信号の種類に応じて駆動制御するものである。
【００５７】
また、上記した特別可変表示装置４４の裏面の周囲には、特別可変表示装置４４の上方に位置する入賞口（本実施の形態では、入賞口４７）に入賞した入賞玉を誘導する入賞玉誘導路がその前面に形成されるカバー体である第１入賞玉誘導カバー体７０が取付けられ、この第１入賞玉誘導カバー体７０に連通するように、その下部に第２入賞玉誘導カバー体７１が取付けられている。
【００５８】
第１入賞玉誘導カバー体７０には、その中央に特別可変表示装置４４の裏面が貫通する窓孔７２が形成されるとともに、一側後面に中継基板７６，７７および情報端子基板７８が取付けられている。中継基板７６，７７は、前述したように、遊技盤４０の遊技領域４１に設けられるスイッチ、ランプ、ソレノイド、ＬＥＤ等の電気部品と主基板１５１または電飾制御基板８０との接続を中継するものである。情報端子基板７８は、図４に示すように、パチンコ遊技機１の営業管理上必要な遊技情報（たとえば大当り遊技状態中である旨を報知する大当り１情報、確率変動図柄で大当り遊技状態となり、その大当り状態中およびその大当りによる確率変動中である旨を報知する大当り２情報（大当り中と確率変動中に出力され続ける信号）、確率変動図柄による大当り状態終了後の確率変動中である旨を報知する確率変動情報、始動玉検出器をＯＮした打玉の数を報知する始動口情報、特別可変表示装置の可変表示動作回数を報知する図柄確定回数１情報、普通図柄表示装置の可変表示動作回数を報知する図柄確定回数２情報、および、普通可変入賞球装置の開閉回数を報知する役物回数２情報等）を遊技場に設置される管理コンピュータに出力するための外部接続端子を有し、遊技情報が主基板１５１から与えられるようになっている。さらに、どの図柄で大当りしたか、どの図柄で停止したか等の情報を出力するようにしてもよい。
【００５９】
また、第２入賞玉誘導カバー体７１の後面側には、その内部に電飾制御基板８０および効果音制御基板８２を収納する制御基板ボックス１６１が取付けられている。なお、制御基板ボックス１６１については、後で詳述する。電飾制御基板８０は、図４に示すように、遊技盤４０の遊技領域４１（必ずしも遊技領域４１の内側に設けられなくてもよく、遊技盤４０に設けられていればよい）に設けられる飾りランプや飾りＬＥＤ、および、前面枠３や前面開閉枠４に設けられる飾りランプや飾りＬＥＤを主基板１５１からの情報信号に応じて一括して駆動制御するものである。また、効果音制御基板８２は、スピーカ１２ａ，１２ｂを駆動制御するものであり、主基板１５１からの情報信号に応じて遊技内容に対応した効果音を発生させる。また、効果音制御基板８２には、音量を切換える音切換スイッチ８３が設けられている。
【００６０】
以上、遊技盤４０の構成について詳細に説明してきたが、上記のように構成される遊技盤４０は、前面枠３の裏面側に形成される遊技盤収納枠３６に収納固定されるようになっている。遊技盤収納枠３６は、周知のように、ほぼ正方形状に構成される遊技盤４０を収納するように前面枠３の裏面に段差状に形成されている。収納した遊技盤４０の裏面を押圧固定するための遊技盤係止レバー８６が、遊技盤収納枠３６の適宜箇所に取付けられている。また遊技盤収納枠３６の下方部は、平板状の支持板となって遊技盤４０の下辺を載置するようになっており、その支持板のほぼ中央にアウト玉を誘導するアウト玉誘導通路が形成されている。また、遊技盤４０を遊技盤係止レバー８６によって収納固定した状態においては、その裏面から機構部１００が被覆されることとなる。機構部１００は、遊技板収納枠３６の内側側面において上部および下部に分かれて固定される導電性の２つの軸受金具３７，３７のそれぞれにおいて上方向に向けて突設される導電性（金属製）の軸ピン３８に、機構部１００において上下方向に延在された態様で固定された金属製の取付部材（後述する取付部材１４８）の上部および下部のそれぞれに形成された軸支部（後述する軸支部１４８ａ，１４８ａ）の掛止め孔をそれぞれ係止することにより、開閉自在に軸支される。また、機構部１００は、遊技盤収納枠３６の適宜位置に植立される係止ピン（図示しない）と機構部１００に設けられる機構部係止レバー１４９とを係合させることにより、機構部１００を閉じた状態で保持することができるようになっている。ここでは、機構部１００が前面枠３に対して開閉自在である場合を例として示したが、これに限らず、機構部は前面枠３に対して固定されて開閉できないものであってもよい。
【００６１】
次に、パチンコ遊技機１の背面に設けられる機構部１００の構成について図３を参照して説明する。図３において、機構部１００は、貯留タンク１０５と、上部構成部と、中間構成部と、下部構成部とが背面から見て開口窓１０２を構成するように機構部主体１０１上に一体的に形成されている。
【００６２】
貯留タンク１０５は、主として賞球を貯留する玉供給部としてのものである。上部構成部は、貯留タンク１０５に貯留された賞球を下流側に整列しながら誘導する玉整列レール部材１０８およびカーブレール部材１１１が設けられるものである。中間構成部は、カーブレール部材１１１からの玉を誘導する玉通路部材１１４と入賞玉に基づく賞球を払出す球払出装置１１６とが設けられるものである。下部構成部は、主として遊技盤に打込まれた入賞玉を含む打玉を処理する処理機構が設けられるものである。
【００６３】
機構部１００を閉じた状態において遊技盤４０の裏面収容部が開口窓１０２から外部に臨むようになっている。このため、遊技盤４０の裏面構造が前述したように特別可変表示装置４４の裏面および制御基板ボックス１６１を有する複雑なものであっても、機構部１００の開閉動作をスムーズに行なうことができる。なお、開口窓１０２の中央よりやや下方には、その開口窓１０２の両側端から掛け渡した状態で後方に突出形成された横架突出板１０３が設けられ、その横架突出板１０３に、後述する主基板ボックス１５０の上部が取付けられるようになっている。ただし、電飾制御基板８０に実装されるコネクタ８０ａ〜８０ｅおよび効果音制御基板８２に実装されるコネクタ８２ａ〜８２ｃは、横架突出板１０３の上方に位置して開口窓１０２から外部に臨むようになっている。
【００６４】
そこで、以下、機構部１００の構成について説明する。まず、機構部１００の上部構成部には、多量の賞球を貯留する貯留タンク１０５と、該貯留タンク１０５から供給される賞球を仕切り壁によって複数列（本実施の形態の場合、３列）に整列して流下させる玉整列レール部材１０８と、その玉整列レール部材１０８によって誘導された賞球を後述する球払出装置１１６に向けて方向転換するカーブレール部材１１１と、そのカーブレール部材１１１の上方に設けられた情報端子基板１３２とがそれぞれ所定の位置に設けられている。
【００６５】
貯留タンク１０５は、その底面に揺動自在に軸支されて図示しないばねにより上方向に付勢される球切れ情報検知レバー１０６が設けられ、その球切れ情報検知レバー１０６の下方に、球切れ情報スイッチ１０７が固定されている。この球切れ情報スイッチ１０７は、図５に示すように、後述する情報端子基板１３２に接続されて貯留タンク１０５内に賞球が不足したときに図示しない管理コンピュータに玉切れ信号を出力するようになっている。上記した貯留タンク１０５の下流側に配置される玉整列レール部材１０８は、上部構成部の一端から他端に向けて傾斜状に取付けられ、その内部中央に２条の仕切り壁（図示しない）が立設されて貯留タンク１０５から流出した賞球を下流に向かって３列に整列させるようになっている。そして、仕切り壁によって区画された３列のレール部のうちの奥側１列を球貸し用レール部とし、手前側２列を賞球用レール部としている。
また、玉整列レール部材１０８の下流側上部には、玉ならし部材１０９が支軸を支点として揺動自在に垂下され、玉整列レール部材１０８上を上下２段となって流下する賞球を玉ならし部材１０９に埋設される重錘の作用によって１段とするようになっている。
【００６６】
前述した玉整列レール部材１０８の下流側上部には、外部との信号線が接続される外部接続端子１３３を有する情報端子基板１３２が設けられる。情報端子基板１３２に設けられる外部接続端子１３３は、外部（たとえば、管理コンピュータ）と弾球遊技機との間の信号線を接続する球切れ情報出力端子、玉貸情報出力端子、賞球情報出力端子等を有し、さらに、球切れ情報スイッチ１０７が接続されるコネクタ１３２ａと、払出制御基板１４４が接続されるコネクタ１３２ｂとを有して構成されている。また、情報端子基板１３２の近傍となる機構部１００の裏面には、パチンコ遊技機１の運搬時に電源線１３５を束ねておくためのフック（図示省略）が形成されている。これにより、運搬時における電源線１３５および差込みプラグ１３５ａの破損を防止することができる。なお、電源線１３５には、ヒューズケースが一体的に設けられている。
【００６７】
上部構成部には、上記した構成以外に、その開放端部および情報端子基板１３２の上部に対応する位置に機構部係止レバー１４９が一端を支持されて回動自在に設けられている。機構部係止レバー１４９には、遊技盤収納枠３６の所定の位置に植立固定される係止ピン（図示しない）の先端部と係合する溝が形成されている。この機構部係止レバー１４９の溝と係止ピンとの係合を解除するように回動させることにより、機構部１００の遊技盤収納枠３６への固定状態を解除することができる。なお、機構部係止レバー１４９は、上部構成部の開放端部および下部構成部の開放端部に設けられているため、機構部１００の遊技盤収納枠３６への固定状態を堅固に安定化させることができるようになっている。
【００６８】
次に、機構部１００の中間構成部の上部には、玉整列レール部材１０８の下流端に連通して賞球の向きを１８０度変換して導くカーブレール部材１１１が設けられている。このカーブレール部材１１１も賞球を３列に整列して下流側に導くように区画形成されている。また、カーブレール部材１１１のヘアピン状の屈曲部には、図示しない玉抜き弁が揺動自在に設けられ、その玉抜き弁の側方から下流側に向けて玉抜き通路１１２が形成されている。玉抜き通路１１２は、玉抜き弁が操作されたとき（たとえば、営業が終了して貯留タンク１０５に貯留される賞球を外部に抜く必要が生じたとき）、貯留タンク１０５および玉整列レール部材１０８に貯留されていた賞球を弾球遊技機１の外部に誘導するものである。
【００６９】
また、カーブレール部材１１１の下流側には、垂直状に玉通路部材が設けられる。具体的には、左右２列の玉通路１１４から玉通路部材が構成され、この２列の玉通路１１４には、それぞれ球切れスイッチ１１５が通路に臨むように設けられている。この球切れスイッチ１１５は、図４に示すように、枠用スイッチ中継基板１４２を介して主基板１５１に接続され、球切れスイッチ１１５が玉を検出しなくなったときには、次に説明する球払出装置１１６の払出モータ１１８の作動を停止して玉の払出しを不能動化させるようになっている。
【００７０】
上記した玉通路部材の下方に取着される球払出装置１１６は、ほぼ直方体形状をなすケースの内部に収納されて機構部主体１０１の前面側に着脱自在に取付けられるようになっている。球払出装置１１６の構造について、図３および図５を参照して簡単に説明すると、ケース内には、左右２列の玉通路１１４と個々に連通する２条の通路部が形成され、その通路部の経路途中には、球払出装置１１６（通路部）内の玉を１個ずつ区切って通路部下端の玉払出口（図示しない）から排出するスプロケット（図示しない）が設けられている。なお、スプロケットは、払出モータ１１８の駆動によって回転するようになっている。また、玉排出口は、前後方向に並列する２つの排出口からなる。玉排出口において、前側の排出口は、球払出装置１１６から排出する玉を貸玉として払出す貸玉排出口として構成され、後側の排出口は、球払出装置１１６から排出する玉を景品玉として払出す景品玉排出口として構成されている。また、前後の排出口には、それぞれの排出口から排出される玉数（貸玉数および賞球数）を検出するための球貸しカウントスイッチ１１９および賞球カウントスイッチ１２０（図５参照）が設けられている。また、スプロケットの下流側には、玉を貸玉排出口に送る玉通路と、景品玉排出口に送る玉通路との間で切換える切換弁（図示省略）が設けられており、その切換弁は、通路切換ソレノイド１１７（図５参照）の駆動によって玉通路を切換えるようになっている。さらに、玉の払出動作を確実に行なうために払出モータ１１８の停止位置（正確には、回転部材の停止位置）を検出するモータ位置センサ１２２（図５参照）が設けられている。
【００７１】
また、ケースには、通路切換ソレノイド１１７、払出モータ１１８、カウントスイッチ１１９，１２０、および、モータ位置センサ１２２が接続される払出ユニット中継基板１２４が付設されている。この払出ユニット中継基板１２４は、図５に示すように、払出制御基板１４４に接続されるとともに枠用スイッチ中継基板１４２を介して主基板１５１にも接続されている。
【００７２】
また、以上説明したように、各種構成部材がケース１１３内に集約されてなる球払出装置１１６は、機構部１００の中間構成部に形成される取付凹部に対してケース１１３全体が係合部の傾動による着脱自在に止着されるようになっている。このように、球払出装置１１６を係合部の係合によって着脱自在としたが、たとえばビス止めして着脱自在としてもよく、特に限定するものではない。また、ケース１１３は、透明合成樹脂で形成されている。このため、内部に収容される各種構成部材を外部から視認することができ、球払出装置１１６に対する不正が極力防止できる。
【００７３】
次に、機構部１００の下部構成部について説明する。下部構成部の後面側には、その一側上部に賞球通路１２６が形成され、該賞球通路１２６の下端に上皿連通口１２７が形成されている。この上皿連通口１２７は、パチンコ遊技機１の前面に設けられる上皿１９に賞球を導くものである。上皿連通口１２７の一側側方には、余剰球通路１２８が接続されている。入賞に基づく賞球が多数払出されて上皿１９が賞球で満杯となり、ついには上皿連通口１２７に到達してさらに賞球が払出し続けられたときには、賞球が、余剰球通路１２８に導かれ、その後、前述した接続樋（図示しない）を介して下皿２７に排出される。そして、さらに賞球が払出し続けられたときには、下皿２７も満杯になるが、余剰球通路１２８の一側側壁に設けられた満タンスイッチ１２９の部分にまで到達すると、満タンスイッチ１２９がＯＮされて、球払出装置１１６のモータ１１７，１１８の駆動を停止して賞球および貸玉の払出動作を不能動化するとともに、必要に応じて打球発射装置８７の発射装置電動機８８の駆動も停止される。なお、前述した賞球通路１２６、玉抜き通路１１２、および、余剰球通路１２８の後面は、下部通路カバー体によって閉塞されている。
【００７４】
一方、下部構成部の前面側（遊技盤４０に当接する側）には、遊技盤４０で発生した入賞玉を集合する入賞玉集合樋１０４が傾斜状に設けられている。この入賞玉集合樋１０４に集められた入賞玉は、打込玉排出通路１３０を通ってパチンコ遊技機１の外部（パチンコ遊技機１の設置島の内部に形成される回収経路）に放出される。打込玉排出通路１３０には、入賞玉だけではなくアウト口６９に取込まれたアウト玉および玉抜き通路１１２から玉抜きされた賞球も合流して放出される。
【００７５】
また、前述したように構成される機構部１００の下部構成部の後面側には、電源ユニットボックス１３６と、主基板ボックス１５０と、払出制御基板ボックス１４３と、枠用スイッチ中継基板１４２とが設けられている。電源ユニットボックス１３６は、電圧が異なる複数の電源電力を生成する電源生成基板１３７を収容するものである。主基板ボックス１５０は、遊技盤４０に設けられる特別可変表示装置４４や特別可変入賞球装置４８等の遊技装置の動作を制御する主基板１５１を収容するものである。払出制御基板ボックス１４３は、球払出装置１１６の動作を制御する払出制御基板１４４を収容するものである。払出制御基板１４４にも、主基板１５１と同様に、制御用のＣＰＵ、ＲＯＭ、ＲＡＭ等を含み、払出制御を行なうマイクロコンピュータが設けられている。
【００７６】
枠用スイッチ中継基板１４２は、満タンスイッチ１２９、球切れスイッチ１１５、および、払出ユニット中継基板１２４と、主基板１５１との接続を中継するものである。
【００７７】
電源ユニットボックス１３６は、開口窓１０２の下部位置側に機構部主体１０１に突設される係止爪（図示しない）に着脱自在に取付けられる。電源ユニットボックス１３６の内部に収容される電源生成基板１３７には、２４Ｖの電源線が接続される電源コネクタ、電源スイッチ１３９（後述する電源スイッチ１３９）各種回路、および、電源供給先の基板と接続するためのコネクタ等が実装されている。電源コネクタに接続される２４Ｖの電源線は、情報端子基板１３２から機構部主体１０１の裏面側に形成される配線処理溝（図示しない）に沿って機構部１００の開放側下部まで引き通され、直前位置で機構部主体１０１の表側に引出されて電源コネクタに接続される。電源生成基板１３７においては、電源スイッチをＯＮすることにより、で複数種類の電圧の電源電力が生成されて各制御基板に供給されるようになっている。また、電源供給先の基板と接続するためのコネクタは、生成された複数の電源電力の供給用の電源配線をまとめて１つの集合配線として接続されるものである。なお、電源スイッチ、電源コネクタ、および、電源供給先の基板と接続するためのコネクタは、重畳的に配置される主基板ボックス１５０の両側方から飛び出して外部に臨むようになっている。
【００７８】
主基板ボックス１５０は、電源ユニットボックス１３６に重畳しかつ制御基板ボックス１６１に重畳する位置に回転自在であって着脱自在に配置される。払出制御基板ボックス１４３は、打込玉排出通路１３０および玉抜き通路１１２の後面側に着脱自在に取付けられている。払出制御基板ボックス１４３に収容される払出制御基板１４４には、故障等が生じたときにその故障の種類を数字や英文字で表示するエラー表示器１４５と、払出制御基板１４４を再起動させるときに操作するリセットスイッチ１４６とが設けられている。
【００７９】
前述した図３に示す表示制御基板カバー７４、制御基板ボックス１６１、主基板ボックス１５０、および、払出制御基板ボックス１４３は、その一部または全部を透明の合成樹脂によって内部が透視し得るように構成されている（ＲＯＭ等の不正改造を容易に視認できる）とともに、放熱穴が形成されている。また、制御基板ボックス１６１内に収容される効果音制御基板８２は、ＲＯＭ（特に、効果音データを記憶しているＲＯＭ）さえ交換すれば簡単にリサイクルが可能である。また、制御基板ボックス１６１内に収容される電飾制御基板８０、および、表示制御基板カバー７４に被覆される表示制御基板７５も、盤面構成やランプ等の数を変えなければ、同様にＲＯＭを交換することによりリサイクル可能である。つまり、遊技盤４０の入替え時にそれらボックス毎回収し、ＲＯＭを取り出して書換えまたは交換すれば、異なる内容の新しい機種用のものとすることができるので、その新しい機種の入替えの際にＲＯＭだけを変えた制御ボックスを再び納品して再利用することができる。
【００８０】
以上、パチンコ遊技機１の構成、遊技盤４０の構成、および機構部１００の概略構成について説明してきたが、機構部１００や遊技盤４０に設けられる各種の制御基板の相互の関係、および、各種制御基板と機構部１００、遊技盤４０、前面枠３、および、前面開閉枠４に設けられる電気的部品との関係について図３〜図５を参照して詳細に説明する。
【００８１】
図３〜図５を参照して、第１入賞玉誘導カバー体７０の上部に取付けられる中継基板７６のコネクタ７６ａと電飾制御基板８０のコネクタ８０ａとが接続されている。また、中継基板７６には、遊技盤４０に設けられるアタッカーランプ５６、風車ランプ６６ａ、サイドランプ６７ａ等の飾りランプ基板と、飾りＬＥＤ４５，５７等の飾りＬＥＤ基板とからの配線が接続されている。
【００８２】
さらに、払出制御基板１４４には、８つのコネクタ１４４ａ〜１４４ｈが実装されている。コネクタ１４４ａには、主基板１５１が接続されている。コネクタ１４４ｂには、電源生成基板１３７が接続されている。コネクタ１４４ｃには、情報端子基板１３２が接続されている。コネクタ１４４ｄには、払出ユニット中継基板１２４が接続されている。コネクタ１４４ｅには、残高表示基板２３が接続されている（ブザーを設ける場合はブザー基板も接続される）。コネクタ１４４ｆには、発射制御信号中継基板９８が接続されている。コネクタ１４４ｇには、カードユニット３１からのカードユニット配線３５が接続されている。コネクタ１４４ｈには、後述する放電用配線１３ｂが接続されている。
【００８３】
ところで、前述した各基板間を接続する配線は、それぞれ接続する基板に応じて色が設定されている。払出制御基板１４４の各コネクタ１４４ａ〜１４４ｈに接続される配線は茶色に設定されている。電飾制御基板８０の各コネクタ８０ａ〜８０ｄに接続される配線は緑色に設定されている。効果音制御基板８２の各コネクタ８２ａ〜８２ｃに接続される配線は黄色に設定されている。また、主基板１５１に接続される配線は、基本的に白色に設定されている。ただし、払出制御基板１４４、電飾制御基板８０、および、効果音制御基板８２との接続配線は、それぞれ接続先の基板１４４，８０，８２に応じた配線色が優先され、始動玉検出器６０を接続するコネクタ１５１ａの配線は、前述したようにピンクと黄の蛍光色に設定されている。また、発射制御基板９０に接続される配線は、白色に設定され、電源生成基板１３７に接続される配線は、黒色に設定されている。また、機構部１００に形成された横架突出板１０３の末端部分（前面枠３の開放側に設けられた主基板１５１よりもさらに開放側）には、主基板１５１の各コネクタ１５１ｂ〜１５１ｄに接続される配線を束ねるための配線収束部材（図示省略）が設けられ、機構部１００の裏面側（横架突出板１０３の開放窓１０２との対向面側も含む）には、機構部１００の裏面の配線処理を整然とするための配線押えが設けられている。なお、横架突出板１０３の開口窓１０２との対向面に設けられた配線押えは、制御基板ボックス１６１内に収容される電飾制御基板８０および効果音制御基板８２の配線をまとめるようになっている。
【００８４】
なお、配線収束部材は、金属に合成樹脂の被覆加工を施したものであり、配線押えは、合成樹脂成形品でビスにより軸支され、回動自在の構造であるが、どちらの構造のものを用いても差支えない。
【００８５】
上記のように配線接続される回路構成においては、図４に示すように、主基板１５１には、遊技盤４０に設けられる各スイッチ４７ａ，５１，５２，５５ａ，５５ｂ，６２，６５ａからの信号が中継基板７７を介して入力されるとともに始動玉検出器６０からの信号も入力され、また、満タンスイッチ１２９および球切れスイッチ１１５からの信号が枠用スイッチ中継基板１４２を介して入力される。さらに、主基板１５１には、払出ユニット中継基板１２４および枠用スイッチ中継基板１４２を介して球貸しカウントスイッチ１１９および賞球カウントスイッチ１２０からの信号が入力される。
【００８６】
上記した入力信号のうち、遊技盤４０に設けられる各スイッチ５１，５２，６０，６２からの入力信号に基づいて、主基板１５１は、遊技盤４０に設けられるソレノイド５０，５９、普通図柄表示器６３、および、記憶表示ＬＥＤ４６，６４を制御するとともに、遊技状態に応じた電飾信号を電飾制御基板８０に出力し、遊技状態に応じた効果音信号を効果音制御基板８２に出力し、さらに、大当り表示制御信号あるいはリーチ表示制御信号または外れ表示制御信号を表示制御基板７５に出力し、情報端子基板７８に各種の遊技情報を出力する。電飾制御基板８０は、主基板１５１から入力される電飾信号の種類に応じて、各種ランプ６〜１０，５６，６６ａ，６７ａ、各種ＬＥＤ１３ａ〜１３ｄ，４５，５７を表示駆動制御する。効果音制御基板８２は、主基板１５１から入力される効果音信号の種類に応じてスピーカ１２ａ，１２ｂを駆動制御する。また、表示制御基板７５は、主基板１５１から入力される表示制御信号の種類に応じて特別可変表示装置４４の表示結果を導出するように制御する。
【００８７】
また、満タンスイッチ１２９からの入力信号に基づいて、主基板１５１は、払出制御基板１４４に満タン信号を出力し、その満タン信号に基づいて払出モータ１１８の駆動を停止したり、あるいは発射装置電動機８８の駆動を停止したりする。また、満タンスイッチ１２９からの入力信号があったときには、主基板１５１は、次に説明する賞球可能信号を出力しないようにする。なお、満タンスイッチ１２９からの入力信号があったときには、電飾制御基板８０に満タン信号を出力して所定のランプまたはＬＥＤを表示駆動してその旨を報知するようにしてもよい。また、満タン信号を払出制御基板１４４に出力するので、たとえば、払出制御基板１４４上のエラー表示器１４５等でその旨を報知するようにしてもよい。
【００８８】
また、遊技盤４０に設けられる通過玉検出器６２を除く各スイッチ４７ａ，５１，５２，５５ａ，５５ｂ，６５ａからの入力信号に基づいて主基板１５１は、払出制御基板１４４に賞球個数信号を出力する。払出制御基板１４４は、賞球個数信号および賞球可能信号の入力に基づいて払出モータ１１８を駆動して所定個数の賞球を払出す。また、賞球カウントスイッチ１２０からの入力信号に基づいて、主基板１５１は、払出されるべき賞球個数が検出されれば払出制御基板１４４に賞球個数信号をクリアするクリア信号を出力する。また、賞球カウントスイッチ１２０からの入力信号に基づいて、主基板１５１は、情報端子基板１３２（図５参照）に賞球個数信号を出力し、この信号を情報端子基板１３２から外部の管理コンピュータに出力する。さらに、各スイッチ４７ａ，５１，５２，５５ａ，５５ｂ，６０，６５ａからの入力信号に基づいて主基板１５１は、電飾制御基板８０（および効果音制御基板８２）に賞球信号を出力し、賞球ランプ１０（またはスピーカ１２ａ，１２ｂ）を表示駆動してその旨を報知する。さらに、球切れスイッチ１１５からの入力信号に基づいて、主基板１５１は、払出制御基板１４４に賞球可能信号を出力しないようにしたり、電飾制御基板８０に賞球切れ信号を出力して玉切れランプ９を所定の態様で表示駆動する。なお、玉切れランプ９または別途設けられる玉切れランプを主基板１５１または払出制御基板１４４で制御するのではなく、玉切れランプ９または別途設けられる玉切れランプに電源電力を供給し、球切れスイッチ１１５のＯＮ・ＯＦＦによって単純に点滅消灯するようにしてもよい。
【００８９】
上記したように主基板１５１には、遊技動作を制御するためのスイッチ入力、賞球の払出動作を制御するためのスイッチ入力、および、飾りランプ、飾りＬＥＤ、スピーカ１２ａ，１２ｂを駆動制御するためのスイッチ入力しか入力されない。したがって、主基板１５１と他の制御基板１４４，８０，８２，７５との関係においては、主基板１５１から他の制御基板１４４，８０，８２，７５に向かって一方向の通信関係となる。このため、このパチンコ遊技機１は、他の制御基板１４４，８０，８２，７５に不法な処理プログラムを組込んで主基板１５１で不正な処理を施そうとしても実行することができないという利点がある。また、主基板１５１の制御の一部を他の制御基板１４４，８０，８２，７５で担当しているので、パチンコ遊技機１では、主基板１５１の負担が軽減されるとともに、監督官庁による主基板１５１の検査の容易化を図ることも可能である。
【００９０】
次に、図５を参照して、払出制御基板１４４には、モータ位置センサ１２２、カウントスイッチ１１９，１２０からの信号が払出ユニット中継基板１２４を介して入力され、残高表示基板２３の球貸スイッチ２４、返却スイッチ２５からの信号が入力され、カードユニット３１から各種の情報が入力されている。さらに、払出制御基板１４４には、主基板１５１から前述したように、賞球可能信号、賞球個数信号、満タン信号が入力される。
【００９１】
上記した入力信号のうち、モータ位置センサ１２２からの入力信号に基づいて、払出制御基板１４４は、貸玉および賞球の払出動作において払出モータ１１８の停止位置、すなわち回転部材の停止位置を正確に制御するとともに回転部材が回転しているか否かを検出できる。
【００９２】
また、カウントスイッチ１１９，１２０からの入力信号に基づいて、払出制御基板１４４は、貸玉および賞球の正確な払出数を払出すように払出モータ１１８を駆動制御するとともに、情報端子基板１３２に賞球数情報および貸玉数情報を出力する。なお、賞球数情報は、主基板１５１から出力するようにしてもよい。
【００９３】
また、球貸スイッチ２４からの入力信号に基づいて、払出制御基板１４４は、カードユニット３１からの残高情報を照会して残高情報に余裕があるときに貸玉要求信号を許容して払出モータ１１８を駆動する。また、返却スイッチ２５からの入力信号に基づいて、払出制御基板１４４は、カードユニット３１にカードの返却信号を出力する。
【００９４】
また、カードユニット３１からの各種の情報入力に基づいて、払出制御基板１４４は、残高表示基板２３の残高表示器に残高情報を出力し、また、ブザー基板２２ａにトラブル信号を出力する。
【００９５】
さらに、主基板１５１からの賞球可能信号、賞球個数信号、満タン信号等に基づいて、払出制御基板１４４は、前述したように払出ユニット中継基板１２４を介して賞球の払出動作を実行せしめたり、発射制御基板９０に発射装置電動機８８の停止信号を出力したりする。
【００９６】
なお、情報端子基板１３２に接続される球切れ情報スイッチ１０７からの入力信号は、払出制御基板１４４に入力されることはなく、そのまま球切れ情報として外部の管理コンピュータ等に出力される。
【００９７】
以上説明した各種の制御基板１５１，１４４，８０，８２，７５，９２は、電源生成基板１３７から所望の電源電力が入力されるように構成されている。ただし、表示制御基板７５への電源電力の供給は、電源生成基板１３７ではなく主基板１５１を介して行なわれるようになっている。これは、特別可変表示装置として使用されるものが本実施形態のように電気的な可変表示部材（本実施形態では液晶）である場合とドラム式可変表示部材とでは、使用する電源電圧が異なるため、遊技盤４０の交換に伴って電源生成基板１３７におけ電源端子の種類または数を変更する必要があるところ、遊技盤４０の交換に伴って変更される主基板１５１から電源配線を分岐して表示制御基板７５に入力した場合には、電源生成基板１３７における電源端子の種類または数をそのままにして主基板１５１の電源端子を必要な電圧の配線だけを接続するようにすれば、電源生成基板１３７における電源端子の種類または数を変更する必要がないからである。なお、電源生成基板１３７を可変表示部材の種類に対応して別々に構成してもよい。
【００９８】
次に、パチンコ遊技機１における静電気の放電のための構成を詳細に説明する。図６は、パチンコ遊技機１における静電気の放電のための構成の一部を示すパチンコ遊技機１の正面図である。
【００９９】
図６を参照して、上皿１９には、上皿１９に貯留された玉と接触可能な位置に金属製の上皿用接触部材６ｂが設けられている。この上皿用接触部材６ｂは、上皿１９に貯留された玉と接触した際に、玉に帯電している静電気を受ける導電性（金属製）の部材である。前面枠３および前面開閉枠４には、前面枠３によって前面開閉枠４を支持しつつ開閉可能にするために蝶着した導電性（金属製）の蝶着部材１７が前面枠３と前面開閉枠４との間に設けられている。上皿用接触部材６ｂは、放電用配線１０ｂを介して蝶着部材１７に電気的に接続されており、さらに、蝶着部材１７から放電用配線１１ｂを介して導電性（金属製）の取付部材１４８の下端部に電気的に接続されている。これにより、上皿用接触部材６ｂが受けた静電気は、放電用配線１０ｂ、蝶着部材１７、および、放電用配線１１ｂを介して取付部材１４８に伝えられる。
【０１００】
また、下皿２７における玉の排出通路（下皿２７への玉の入口）には、下皿２７に誘導されてきた玉と接触可能な位置に導電性（金属製）の下皿用接触部材８ｂが設けられている。この下皿用接触部材８ｂは、下皿２７に誘導されてきた玉と接触した際に、玉に帯電している静電気を受ける。下皿用接触部材８ｂは、放電用配線９ｂを介して取付部材１４８の下端部に電気的に接続されている。これにより、下皿用接触部材８ｂが受けた静電気は、放電用配線９ｂを介して取付部材１４８に伝えられる。
【０１０１】
図７は、パチンコ遊技機１における静電気の放電のための構成の一部を示すパチンコ遊技機１の裏面図である。
【０１０２】
図７を参照して、貯留タンク１０５には、パチンコ遊技機１の外部からパチンコ遊技機１の内部に補給されて貯留タンク１０５に貯留された玉と接触可能な位置に導電性（金属製）のタンク用接触部材４ｂが設けられている。このタンク用接触部材４ｂは、貯留タンク１０５に貯留された玉と接触した際に、玉に帯電している静電気を受ける導電性の部材である。タンク用接触部材４ｂは、放電用配線１２ｂを介して取付部材１４８の上端部に電気的に接続されている。これにより、タンク用接触部材４ｂが受けた静電気は、放電用配線１２ｂを介して取付部材１４８に伝えられる。ここで、図７においては、軸受金具３７，３７のそれぞれの上においては、軸ピン３８に、取付部材１４８の軸支部１４８ａ，１４８ａの掛止め孔が係止されることにより、開閉自在に軸支されている状態が示されている。
【０１０３】
また、払出球通路２４ａには、球払出装置１１６から払出されて上皿１９に誘導される玉と接触可能な位置に導電性（金属製）の上皿誘導用接触部材５０１の一部が設けられている。この上皿誘導用接触部材５０１は、上皿１９に誘導される玉と接触した際に、玉に帯電している静電気を受ける。上皿誘導用接触部材５０１は、放電用配線１４ｂを介して取付部材１４８の下端部に電気的に接続されている。これにより、上皿誘導用接触部材５０１が受けた静電気は、放電用配線１４ｂを介して取付部材１４８に伝えられる。
【０１０４】
また、前述した余剰球通路１２８には、上皿１９が満杯となった場合に余剰球通路１２８により誘導される玉と接触可能な位置に金属製の下皿誘導用接触部材５０２と、上皿誘導用接触部材５０１の一部とが設けられている。下皿誘導用接触部材５０２は、下皿１９に誘導される玉と接触した際に、玉に帯電している静電気を受ける導電性の部材であり、放電用配線１４ｂを介して取付部材１４８の下端部に電気的に接続されているとともに、一部が上皿誘導用接触部材５０１と接触している。下皿誘導用接触部材５０２は、放電用配線１４ｂを介して取付部材１４８の下端部に電気的に接続されている。これにより、下皿誘導用接触部材５０２が受けた静電気は、上皿誘導用接触部材５０１および放電用配線１４ｂを介して取付部材１４８に伝えられる。
【０１０５】
また、取付部材１４８は、下端部が放電用配線１３ｂを介して払出制御基板１４４（コネクタ１４４ｈ）に接続されている。さらに、払出制御基板１４４は、コネクタ１４４ｇからカードユニット配線３５を介してカードユニット３１に接続されている。取付部材１４８が各放電用配線を介して受けた静電気は、放電用配線１３ｂ、払出制御基板１４４、カードユニット配線３５ａ、および、カードユニット３１を介して放電される。
【０１０６】
次に、各接触部材および各放電用配線の設置態様を順次詳細に説明する。
まず、貯留タンク１０５におけるタンク用接触部材４ｂおよび放電用配線１２ｂの設置態様を説明する。図８は、貯留タンク１０５におけるタンク用接触部材４ｂおよび放電用配線１２ｂの設置態様を示す斜視図である。
【０１０７】
図８を参照して、貯留タンク１０５においては、タンク内側壁のうちの貯留タンク１０５から玉整列レール部材１０８につながる通路部分の側壁に臨む態様でタンク用接触部材４ｂが設けられている。したがって、貯留タンク１０５に貯留された玉は、玉整列レール部材１０８に誘導される際に、タンク用接触部材４ｂと接触する。これにより、タンク用接触部材４ｂは、接触した玉からその玉に帯電している静電気の放電を受ける。
【０１０８】
また、タンク用接触部材４ｂの下部には貯留タンク１０５に密着するための折曲部が形成されている。また、貯留タンク１０５に貯留された玉のうち、タンク用接触部材４ｂと直接的に接触していない玉であっても、貯留タンク１０５内のいずれかの玉がタンク用接触部材４ｂに接触しており、そして、貯留タンク１０５内では、玉同士が接触して貯留されていることによりすべての玉が相互に導通状態にあるため、貯留タンク１０５に貯留された玉は、タンク用接触部材４ｂと直接的に接触した玉のみならず、貯留されたすべての玉のそれぞれが、帯電している静電気を直接的または間接的にタンク用接触部材４ｂに放電することになる。
【０１０９】
タンク用接触部材４ｂの端部には、放電用配線１２ｂがビス止めにより接続されている。タンク用接触部材４ｂが受けた静電気は、放電用配線１２ｂを介し、放電電流として前述した取付部材１４８に流れる。
【０１１０】
次に、上皿１９における上皿用接触部材６ｂおよび放電用配線１０ｂの設置態様を説明する。図９は、上皿１９における上皿用接触部材６ｂおよび放電用配線１０ｂの設置態様を示す斜視図である。
【０１１１】
図９を参照して、上皿１９においては、賞球払出口２０から払出された玉を貯留するとともに、貯留した玉を前述した打球発射装置８７に誘導する。このような上皿１９においては、貯留している玉を一列に整列させて打球発射装置８７の方へ誘導するための発射誘導通路部１９ａが設けられている。その発射誘導通路部１９ａの底面およびその延長線上に延在する態様で上皿用接触部材６ｂが設けられている。したがって、上皿１９に貯留された玉は、発射誘導通路部１９ａにより誘導される際に、上皿用接触部材６ｂと必ず接触する。これにより、上皿用接触部材６ｂは、接触した玉からその玉に帯電している静電気の放電を受ける。
【０１１２】
また、上皿１９に貯留された玉のうち、上皿用接触部材６ｂと直接的に接触していない玉であっても、上皿１９内のいずれかの玉が上皿用接触部材６ｂに接触しており、そして、上皿１９内では、玉同士が接触して貯留されることによりすべての玉が相互に導通状態になるため、上皿１９に貯留された玉は、上皿用接触部材６ｂと直接的に接触した玉のみならず、貯留されたすべての玉のそれぞれが、帯電している静電気を直接的または間接的に上皿用接触部材６ｂに放電することになる。
【０１１３】
上皿用接触部材６ｂは、上面が上皿１９の底面に露出し、下面が上皿１９が設置された上皿化粧部１９０の内部空間に突出した態様で設けられている。放電用配線１０ｂは、上皿用接触部材６ｂのうちの上皿化粧部１９０の内部空間に突出した部分にビス止めにより接続されている。上皿用接触部材６ｂが受けた静電気は、前述したように、放電用配線１０ｂ、蝶着部材１７、および、放電用配線１２ｂを介し、放電電流として取付部材１４８に流れる。
【０１１４】
次に、機構部１００に設けられた上皿誘導用接触部材５０１、下皿誘導用接触部材５０２、および、放電用配線１４ｂの設置態様を説明する。図１０は、機構部１００に設けられた上皿誘導用接触部材５０１、下皿誘導用接触部材５０２、および、放電用配線１４ｂの設置態様を示す斜視図である。
【０１１５】
図１０を参照して、上皿誘導用接触部材５０１は、球払出装置１１６から払出された玉を賞球払出口２０へ誘導するために湾曲した形状で球払出装置１１６から払出された玉を前述した賞球払出口２０へ誘導する払出球通路２４ａの底面上に取付けられた上皿誘導部５０１ａと、余剰球通路１２８の一側の側壁部に取付けられた下皿誘導部５０１ｂとを含む。したがって、球払出装置１１６から払出された玉は、上皿１９が満杯でない場合にはすべて上皿誘導部５０１ａにおいて上皿誘導用接触部材５０１に接触し、上皿１９が満杯である場合には下皿誘導部５０１ｂに接触する。これにより、上皿誘導用接触部材５０１は、接触した玉からその玉に帯電している静電気の放電を受ける。
【０１１６】
また、下皿誘導用接触部材５０２は、余剰球通路１２８の底面上に取付けられるしたがって、余剰球通路１２８に誘導された玉は、下皿誘導用接触部材５０２に接触する。これにより、下皿誘導用接触部材５０２は、接触した玉からその玉に帯電している静電気の放電を受ける。
【０１１７】
下皿誘導用接触部材５０２と、上皿誘導用接触部材５０１とは、一部が接触（電気的に接続）している。放電用配線１４ｂは、上皿誘導用接触部材５０１と下皿誘導用接触部材５０２とが電気的に接続されている部分において、両方と導通可能な態様でビス止めにより接続されている。また、放電用配線１４ｂは、機構部１００に設けられた開口部１００ａ内を通って、機構部１００を介して反対側にある取付部材１４８まで配線されている。上皿誘導用接触部材５０１が受けた静電気および下皿誘導用接触部材５０２のそれぞれが受けた静電気は、放電用配線１４ｂを介し、放電電流として取付部材１４８に流れる。
【０１１８】
また、図１０を参照して、払出制御基板ボックス１４３の上側には、払出制御基板ボックス１４４のコネクタ端子部が露出しており、そのコネクタ部に、一方端が取付部材１４８に接続される前述した放電用配線１３ｂの他端部を接続するためのコネクタ１４４ｈが設けられている。
【０１１９】
次に、図１０に示された上皿誘導用接触部材５０１および下皿誘導用接触部材５０２の取付態様を詳細に説明する。図１１は、上皿誘導用接触部材５０１および下皿誘導用接触部材５０２の取付態様を示す機構部の分解斜視図である。
【０１２０】
図１１を参照して、機構部１００の下部構成部は、機構部主体１０１における予め定められた位置に、下皿誘導用接触部材５０２を取付けるとともに、下部通路カバー体１０１ａにおける予め定められた位置に払出球通路底面部材３７ａおよび上皿誘導用接触部材５０１を取付け、下部通路カバー体１０１ａを機構部主体１０１に取付けることにより行なわれる。
【０１２１】
ここで、払出球通路底面部材３７ａは、払出球通路２４ａの底面を構成する湾曲した部材であり、ビス止めにより、下部通路カバー体１０１ａにおける所定位置に取付けられる。そして、上皿誘導用接触部材５０１は、取付けられた状態で上皿誘導部５０１ａが払出球通路底面部材３７ａの表面を覆い、かつ、下皿誘導部５０１ｂが機構部主体１０１に形成された余剰球通路１２８の側面の位置に整合する態様となるように位置決めされた下部通路カバー体１０１ａの爪穴部１０１ｂに、上皿誘導用接触部材５０１の一部に設けられた爪部５０１ｃを挿入した態様で取付けられる。
【０１２２】
一方、下皿誘導用接触部材５０２は、上端部に形成された第１掛止部５０２ａが機構部主体１０１に形成された掛止受け部１０１０に掛止され、側縁部に形成された複数の爪部５０２ｂが機構部主体１０１に形成された複数の爪受部１０１１に挿入される態様で、機構部主体１０１に取付けられる。
【０１２３】
そして、下部通路カバー体１０１ａに形成された複数の爪穴部１０１ｃに、機構部主体１０１に形成された複数の爪部１０１２を挿入して係合することにより、機構部主体１０１に下部通路カバー体１０１ａが取付けられる。
【０１２４】
次に、前面枠３の裏面側における下皿用接触部材８ｂ、放電用配線１４ｂおよび放電用配線１１ｂの設置態様を説明する。図１２は、前面枠３の裏面側における下皿用接触部材８ｂ、放電用配線１４ｂおよび放電用配線１１ｂの設置態様を示す斜視図である。
【０１２５】
図１２を参照して、前述した余剰球通路１２８を流下した玉は、樋部９３０で受けられ、樋部９３０から下皿用開口９３に誘導されて下皿２７に排出される。具体的に、樋部９３０には、余剰球入口９３１が余剰球通路１２８の出口に向かって（上方に向かって）開口形成されており、余剰球通路１２８を流下した玉は、余剰球入口９３１から樋部９３０に入る。そして、その玉が下皿用開口９３に誘導されるのである。
【０１２６】
下皿用接触部材８ｂは、下皿用開口９３の底面上に取付けられている。したがって、下皿２７に貯留されていく玉は、すべて下皿用接触部材８ｂに接触する。これにより、下皿用接触部材８ｂは、接触した玉からその玉に帯電している静電気の放電を受ける。
【０１２７】
放電用配線９ｂの一方端は、下皿用接触部材８ｂの端部にビス止めにより接続されており、放電用配線９ｂの他方端は、軸ピン３８を含む軸受金具３７にビス止めにより接続されている。これにより、下皿用接触部材８ｂが受けた静電気は、放電用配線９ｂを介し、放電電流として軸ピン３８を含む軸受金具３７に流れる。軸ピン３８を含む軸受金具３７は、取付部材１４８に接触しており、これらはともに導電性の部材であるため、下皿用接触部材８ｂが受けた静電気は、前述したように、放電用配線９ｂおよび軸ピン３８を含む軸受金具３７を介し、放電電流として取付部材１４８に流れる。
【０１２８】
また、前述した放電用配線１１ｂは、前面枠３の正面側にある前述した蝶着部材１７に一方端が接続されており、他方端が図１２に示されるように開口部３０ａを通って前面枠３の裏面側に導かれて軸受金具３７にビス止めにより接続されている。これにより、放電用配線１１ｂは、軸受金具３７（軸ピン３８を含む）を介して取付部材１４８に電気的に接続されているのである。
【０１２９】
次に、図１２に示された下皿用接触部材８ｂおよび放電用配線９ｂの取付態様を詳細に説明する。図１３は、下皿用接触部材８ｂおよび放電用配線９ｂの取付態様を示す下皿部分の分解斜視図である。
【０１３０】
図１３を参照して、下皿２７は、下皿２７を設置するための化粧部材である下皿化粧部１９１に設けられている。下皿２７は、下皿化粧部１９１により前面側を囲まれ、下皿２７の後部壁面となる板状の下皿壁部材１９２が下皿化粧部１９１に後面側からビス止めにより取付られることにより形成されている。下皿壁部材１９２が形成する壁面の中央部には、下皿用開口９３が形成されている。下皿用接触部材８ｂは、下皿用開口９３の底面の前端と後端とに外側から当接する形状に曲げ形成された係止部８０ｂ，８０ｂが下皿用開口９３の底面の前端と後端とに当接して係止部８０ｂ，８０ｂ間に下皿用開口９３の底面を挟む態様で、下皿用開口９３の底面上に取付けられる。下皿壁部材１９２の裏面側には、下皿用接触部材８ｂおよび放電用配線９ｂを固定するためのビス穴が形成された固定部１９２ａが設けられている。この固定部１９２ａのビス穴に、放電用配線９ｂの端部に取付けられた取付金具９０ｂのビス穴および下皿用接触部材８ｂに形成された取付部８１ｂのビス穴を合わせ、これらのビス穴にビス１９３がねじ込まれることにより、下皿用接触部材８ｂおよび放電用配線９ｂが下皿壁部材１９２に固定される。
【０１３１】
次に、前面枠３の正面側における蝶着部材１７についての放電用配線１０ｂおよび放電用配線１１ｂの設置態様を説明する。図１４は、蝶着部材１７についての放電用配線１０ｂおよび放電用配線１１ｂの設置態様を示す斜視図である。
【０１３２】
図１４を参照して、蝶着部材１７は、一方の取付部１７１が前面開閉枠４側に固定されており、他方の取付部１７２が前面枠３側に固定されている。放電用配線１０ｂは、蝶着部材１７の前面開閉枠４側の取付部１７１にビス止めにより接続されている。放電用配線１１ｂは、蝶着部材１７の前面枠３側の取付部１７２にビス止めにより接続されている。蝶着部材１７は、金属性であり、導電性を有するため、放電用配線１０ｂは、蝶着部材１７を介して放電用配線１１ｂと電気的に接続されている。
【０１３３】
次に、機構部１００の正面側上部における取付部材１４８および放電用配線１２ｂの設置態様を説明する。図１５は、取付部材１４８および放電用配線１２ｂの設置態様を示す機構部１００の上部の斜視図である。
【０１３４】
図１５を参照して、取付部材１４８は、前面枠３に対して機構部１００を開閉させるためのものであり、機構部１００の正面側に本体部が存在する態様で設けられている。一方端が前述したタンク用接触部材４ｂに接続された放電用配線１２ｂは、他方端が取付部材１４８の上端部においてビス止めにより接続されている。これにより、タンク用接触部材４ｂが受けた静電気は、放電用配線１２ｂを介し、放電電流として取付部材１４８に流れる。
【０１３５】
次に、機構部１００の正面側下部における放電用配線１３ｂおよび放電用配線１４ｂの設置態様を説明する。図１６は、取付部材１４８、放電用配線１３ｂおよび放電用配線１４ｂの設置態様を示す機構部１００の上部の斜視図である。
【０１３６】
図１６を参照して、取付部材１４８の下端部は、前述した機構部１００の開口部１００ａの近傍まで延在されている。一方端が前述した払出制御基板１４４に接続された放電用配線１３ｂは、機構部１００の開口部１００ａを通って機構部１００の裏面側から正面側に導かれ、他方端が取付部材１４８の下端部においてビス止めにより接続されている。これにより、取付部材１４８が受けた静電気の放電電流は、放電用配線１３ｂを介し、払出制御基板１４４に流れる。この放電用配線１３ｂは、２本の導線であり、前述した一方端が、このような形態の配線を接続可能に構成されたコネクタ１４４ｈ（コンタクト部が２つ設けられた形態である所謂２ピンコネクタ）に接続可能な形状のコネクタ部にされている。汎用の１ピンコネクタは、一般的にあまり使用されないため、流通量が少なく、結果的に２ピンコネクタと比べて単価が高くなる。
【０１３７】
また、一方端が上皿誘導用接触部材５０１に接続された放電用配線１４ｂは、機構部１００の開口部１００ａを通って機構部１００の裏面側から正面側に導かれ、他方端が取付部材１４８の下端部においてビス止めにより接続されている。これにより、上皿誘導用接触部材５０１が受けた静電気は、放電用配線１４ｂを介し、放電電流として取付部材１４８に流れる。
【０１３８】
次に、パチンコ遊技機１とカードユニット３１との間の接続態様を説明する。図１７は、パチンコ遊技機１とカードユニット３１との間の接続態様を示す斜視図である。
【０１３９】
図１７を参照して、パチンコ遊技機１とカードユニット３１とは、カードユニット配線３５を介して電気的に接続されている。カードユニット配線３５は、電線としての導線を多数平行に設けたフラットケーブル型の導線であり、一方端がカードユニット３１に設けられた配線用のコネクタ３１０に接続され、他方端がパチンコ遊技機１における払出制御基板１４４に設けられた配線用のコネクタ１４４ｈに接続されている。
【０１４０】
カードユニット配線３５を構成する複数本の導線（配線）のうちの１本が静電気放電用の配線として用いられる。カードユニット３１の電源コード３１１には、電源線の他に接地線（接地用の配線）が含まれており、その電源コード３１１の差込みプラグ３１２が接地極（接地端子）付きの構成とされている。このため、カードユニット３１は、電源コード３１１の差込みプラグ３１２を、遊技場等に設けられた接地極付きのコンセント（図示省略）に差し込むことにより、電源供給状態にされるともに接地状態にされる。カードユニット配線３５に含まれる静電気放電用の配線は、カードユニット３１の内部において、カードユニットの電源コード３１１に含まれる接地線に接続されている。
【０１４１】
次に、パチンコ遊技機１での払出制御基板１４４における放電用配線１３ｂおよびカードユニット配線３５のそれぞれの接続態様を説明する。図１８は、払出制御基板１４４における放電用配線１３ｂおよびカードユニット配線３５のそれぞれの接続態様を示す遊技機裏面側の斜視図である。
【０１４２】
図１８を参照して、パチンコ遊技機１とカードユニット３１とは、カードユニット配線３５を介して電気的に接続されている。カードユニット配線３５の末端には、払出制御基板１４４への接続用のコネクタ３５ａが設けられている。払出制御基板１４４においては、コネクタ３５ａの接続を受ける前述のコネクタ１４４ｇ（ここでは図示省略）が設けられており、そのコネクタにカードユニット配線３５のコネクタ３５ａが接続される。これにより、パチンコ遊技機１とカードユニット３１とが電気的に接続される。払出制御基板１４４においては、コネクタの各コンタクト（端子）が払出制御基板１４４に形成されたプリント配線と接続されている。
【０１４３】
また、放電用配線１３ｂの末端には、払出制御基板１４４への接続用のコネクタ１３０ｂが設けられている。払出制御基板１４４においては、放電用配線１３ｂのコネクタ１３０ｂが放電用のコネクタ１４４ｈに接続される。これにより、取付部材１４８と払出制御基板１４４とが電気的に接続される。払出制御基板１４４においては、コネクタ１４４ｈの２つのコンタクト（端子）が払出制御基板１４４に形成された放電用のプリント配線と接続されている。その放電用のプリント配線は、払出制御基板１４４に設けられた制御用の配線等のその他のプリント配線と接続されることなく、前述したカードユニット配線３５のうちの放電用の配線が接続されるコンタクトに直接的に接続されている。
【０１４４】
これにより、取付部材１４８は、放電用配線１３ｂ、払出制御基板１４４のプリント配線、カードユニット配線３５、カードユニット３１内の接地用の配線、および、電源コード３１１の接地線を介し、電気的に接地されている。このため、取付部材１４８が受けた静電気は、そのような経路を通り、パチンコ遊技機１からカードユニット３１へ送られ、カードユニット３１から外部へ放電される。
【０１４５】
以上に示した実施の形態によれば、次のような効果を得ることができる。パチンコ玉に帯電した静電気が、上皿用接触部材６ｂ、下皿用接触部材８ｂ、タンク用接触部材４ｂ、上皿誘導用接触部材５０１、および、下皿誘導用接触部材５０２のそれぞれにより受けられ、それらの静電気が、それぞれに対応して設けられた放電用配線等の導電部材を介して、放電電流として取付部材１４８に流れ、その放電電流は、取付部材１４８からさらに、放電用配線１３ｂ、払出制御基板１４４のプリント配線、カードユニット配線３５、カードユニット３１内の接地用の配線、および、電源コード３１１の接地線を介してカードユニット３１から外部へ流れる。このような放電電流が流れることにより、パチンコ遊技機１の内部に帯電した静電気が放電されて除去される。
【０１４６】
また、パチンコ遊技機１内に帯電する静電気には、前述したパチンコ玉に帯電した静電気のみならず、それ以外に、パチンコ遊技機１の内部および外部に存在する駆動装置等の各種静電気発生源から発生してパチンコ遊技機１の内部の各所に帯電した静電気も含まれる。そのように帯電した静電気は、前述した各接触部材を介することなく取付部材１４８が受ける場合がある。このように、取付部材１４８が直接受けた静電気も、取付部材１４８からさらに、放電用配線１３ｂ、払出制御基板１４４のプリント配線、カードユニット配線３５、カードユニット３１内の接地用の配線、および、電源コード３１１の接地線を介してカードユニット３１から外部へ流れる。このような放電電流が流れることにより、パチンコ遊技機１の内部に帯電した静電気が放電されて除去される。
【０１４７】
このようにカードユニット３１を利用して静電気を放電することにより、パチンコ遊技機１に帯電した静電気の除去を、パチンコ遊技機外部での接地配線処理等の煩雑な作業を要さず容易に行なうことができる。そして、このような静電気の除去により、静電気に起因するノイズの発生を防ぐことができ、その結果として、パチンコ遊技機１内の制御回路等の電気機器について、静電気に起因するノイズによる誤作動を防ぐことができるとともに、静電気に起因するノイズから保護することができる。
【０１４８】
また、前述した各接触部材が、払出制御基板１４４という基板により中継されてカードユニット３１における接地部（接地線）に電気的に接続されるため、静電気の放電のための配線作業が容易になり、そのような配線作業の作業性を向上させることができる。
【０１４９】
また、接触部材が、貯留タンク１０５において補給されたパチンコ玉と接触可能な所定位置に設けられたタンク用接触部材４ｂを含むため、パチンコ遊技機１に補給された段階で、パチンコ玉に帯電している静電気を除去することができる。
【０１５０】
また、接触部材が、機構部１００において払出されたパチンコ玉を上皿１９まで誘導する払出球通路２４ａにおいて、パチンコ玉と接触可能な所定位置に設けられた上皿誘導用接触部材５０１を含むため、機構部１００において払出され、上皿１９に貯留される前の段階でパチンコ玉に帯電している静電気を除去することができる。これにより、上皿１９に貯留されたパチンコ玉から遊技者への静電気の放電を防ぎ、静電気の放電による不快感を遊技者に与えないようにすることができる。
【０１５１】
また、接触部材が、上皿１９に形成されてパチンコ玉を整列させ、発射位置（打球発射装置８７による玉の発射位置）に誘導する発射誘導通路部１９ａにおいて、パチンコ玉と接触可能な所定位置に設けられた上皿用接触部材６ｂを含むため、機構部において払出され、上皿１９に貯留された後に整列誘導される段階でパチンコ玉に帯電している静電気を除去することができる。これにより、上皿１９において整列誘導されたパチンコ玉が打球発射装置８７に誘導される前にパチンコ玉に帯電している静電気を除去することができる。これにより、静電気の放電による不快感を遊技者に与えないようにすることができる。
【０１５２】
また、接触部材が、上皿１９がパチンコ玉で満杯の場合に、余剰のパチンコ玉を貯留する下皿２７まで機構部１００を経て誘導する余剰球通路１２８において、パチンコ玉と接触可能な所定位置に設けられた下皿誘導用接触部材５０２を含むため、機構部において払出され、上皿１９に貯留できずに下皿２７に貯留される前の段階でパチンコ玉に帯電している静電気を機構部１００において除去することができる。これにより、下皿２７に貯留されたパチンコ玉から遊技者への静電気の放電を防ぎ、静電気の放電による不快感を遊技者に与えないようにすることができる。
【０１５３】
また、接触部材が、下皿２７への貯留のためにパチンコ玉を誘導する下皿用開口９３において、パチンコ玉と接触可能な所定位置に設けられた下皿用接触部材８ｂを含むため、機構部において払出され、上皿１９に貯留できずに下皿２７に貯留される前の段階でパチンコ玉に帯電している静電気を機構部１００において除去することができる。これにより、下皿２７に貯留されたパチンコ玉から遊技者への静電気の放電を防ぎ、静電気の放電による不快感を遊技者に与えないようにすることができる。
【０１５４】
また、蝶着部材１７、軸受金具３７（軸ピン３８を含む）、取付部材１４８等の導電性部材が、各接触部材から、放電端部としてのカードユニット３１まで電気的に接続するための中継を行なう、すなわち、接触部材の接続は、パチンコ遊技機１の開閉部において蝶着部を構成する導電性部材により、中継される。このため、この導電性部材の中継の長さの分だけ静電気の放電のための配線の長さを短くすることができる。これにより、配線の部品点数を減少させることができ、遊技機の製造コストを低減することができる。また、そのような蝶着部において、たとえば前面開閉枠４のような開閉部の開閉時に配線が開閉部に噛み込むことを防止することができる。
【０１５５】
また、取付部材１４８と払出制御基板１４４との間の放電用配線１３ｂが、１本線ではなく２本線であり、払出制御基板１４４に２ピンコネクタを用いて接続される。このように、放電用配線１３ｂが、１本線ではなく２本線であることにより、１本の場合よりも導電性（導電効率）が向上するため、静電気の放電効率を向上させることができる。
【０１５６】
また、各接触部材を放電中継用の基板（払出制御基板１４４）に電気的に接続する場合において、放電中継用の基板がコネクタを用いて接続されるため、静電気の放電のための配線作業がより一層容易になり、そのような配線作業の作業性をより一層向上させることができる。
【０１５７】
なお、この実施の形態では、また、取付部材１４８と払出制御基板１４４との間の放電用配線１３ｂが、２本線であり、払出制御基板１４４に２ピンコネクタを用いて接続される例を示した。しかし、これに限らず、放電用配線１３ｂは、２本線よりも多い複数本（３本以上）の配線であり、払出制御基板１４４に２ピンよりも多い複数のピン数（３ピン以上）を有するコネクタを用いて接続されるようにしてもよい。つまり、放電用配線１３ｂは、２本以上の複数本の配線であり、払出制御基板１４４に２ピン以上の複数のピン数を有するコネクタを用いて接続されるようにしてもよい。
【０１５８】
第２実施形態
次に、第２実施形態を説明する。この第２実施形態においては、下皿２７に送られるパチンコ玉から静電気を放電させるために、さらに樋部９３０に接触部材を設けた例を説明する。この第２実施形態では、前述した第１実施形態との相違点を主に説明する。
【０１５９】
図１９は、第２実施形態による前面枠３の裏面側における樋部９３０に設けられた接触部材を説明するための斜視図である。
【０１６０】
図１９を参照して、樋部９３０においては、余剰球入口９３１の内部側壁に、導電性（金属製）の樋部用接触部材７ｂが設けられている。樋部用接触部材７ｂは、樋部９３０内において、余剰球通路１２８から流下してくるパチンコ玉に接触可能な位置としての側壁に設けられている。この樋部用接触部材７ｂと、前述した下皿用接触部材８ｂとの間には、これらを電気的に接続する放電用配線４４ｂが接続されている。この放電用配線４４ｂの一方端は、下皿用接触部材８ｂにおける放電用配線９ｂの接続箇所と同じ箇所に、ビス止めにより接続されている。また、放電用配線４４ｂの他方端は、樋部用接触部材７ｂの端部に、ビス止めにより接続されている。これにより、樋部用接触部材７ｂは、放電用配線４４ｂ、，９ｂ、および、軸受金具３７（軸ピン３８を含む）を介して、取付部材１４８に電気的に接続されている。このため、結果的に、樋部用接触部材７ｂは、前述したその他の接触部材と同様に、カードユニット３１の接地線と電気的に接続されている。
【０１６１】
樋部用接触部材７ｂは、樋部９３０に入った玉に接触し、玉に帯電している静電気を受ける。そして、樋部用接触部材７ｂが受けた静電気は、前述したように、放電用配線１０ｂ、蝶着部材１７、および、放電用配線１２ｂを介し、放電電流として取付部材１４８に放電電流として流れ、その放電電流は、取付部材１４８からさらに、放電用配線１３ｂ、払出制御基板１４４のプリント配線、カードユニット配線３５、カードユニット３１内の接地用の配線、および、電源コード３１１の接地線を介してカードユニット３１から外部へ流れる。
【０１６２】
次に、図１９に示された樋部用接触部材７ｂの取付態様を詳細に説明する。図２０は、樋部用接触部材７ｂの取付態様を示す樋部９３０の斜視図である。
【０１６３】
図２０を参照して、樋部９３０においては、余剰球入口９３１よりも上部において、ファール玉が流下してくるファール玉入口９３２が開口形成されている。そして、樋部９３０の内部においては、ファール玉入口９３２から入った玉と、余剰球入口９３１から入った玉とが合流するように通路が形成されており、その通路が下皿用開口９３に通じている。また、樋部９３０においては、余剰球入口９３１が開口している部分の後面側の外部に押さえ部材４７０が回動可能な態様でビス止めされている。この押さえ部材４７０は、遊技機の設置時において上側に回動させることにより機構部１００を樋部９３０に押さえつけて、樋部９３０と機構部１００との間にすきまが生じないようにするための部材である。この押さえ部材４７０で樋部９３０と機構部１００との間にすきまが生じないようにすることにより、不正行為者が下皿用開口９３から不正行為用の器具をパチンコ遊技機１の内部に挿入して行なわれるおそれがある各種の不正行為を構造的に防ぐことができる。
【０１６４】
樋部用接触部材７ｂは、一部が余剰球入口９３１の内部側壁の一部を覆い、それ以外の部分がその側壁の外部に露出する態様で、余剰球入口９３１の壁部に上側から嵌め入れられる。そして、樋部用接触部材７ｂにおいて側壁の外部に露出させる部分の末端部として形成された折曲げ部７０ｂが、図のように樋部９３０の下面に当接するように折り曲げられることにより、樋部用接触部材７ｂが上方へ抜け出さないように固定される。
【０１６５】
このような第２実施形態の場合には、前述した第１実施形態により得られる効果に加えて次のような効果を得ることができる。接触部材が、余剰球通路１２８を流下した玉を受けて下皿２７へ誘導する樋部９３０において、玉と接触可能な所定位置に設けられた樋部用接触部材７ｂ用を含むため、機構部において払出され、上皿１９に貯留できずに下皿２７に貯留される前の段階で遊技媒体に帯電している静電気を機構部外で除去することができる。これにより、下皿２７に貯留された遊技媒体から遊技者への静電気の放電をより一層確実に防ぎ、静電気の放電による不快感を遊技者に与えないようにする効果をより一層向上させることができる。
【０１６６】
第３実施形態
次に、第３実施形態を説明する。この第３実施形態においては、パチンコ遊技機１に帯電した静電気をカードユニット３１を介して放電するのではなく、パチンコ遊技機１の交流電源に放電する例を説明する。この第３実施形態では、前述した第１実施形態との相違点を主に説明する。したがって、以下に説明する相違点以外の部分の構成は、第１実施形態と共通する。
【０１６７】
第３実施形態が第１実施形態と異なる部分は、次の点である。まず、前述した第１実施形態において説明した電源生成基板１３７の代わりに用いられる電源生成基板１３７０において静電気の放電用の回路が設けられていることが異なる。さらに、前述した取付部材１４８がカードユニット３１の放電用の配線と接続されるのではなく、電源生成基板１３７０に設けられた静電気の放電用回路に接続されていることが異なる。
【０１６８】
図２１は、第３実施形態による電源生成基板１３７０の一構成例を示すブロック図である。電源生成基板１３７０は、この例ではＡＣ２４Ｖ、ＤＣ＋３０Ｖ、ＤＣ＋２１Ｖ、ＤＣ＋１２ＶおよびＤＣ＋５Ｖを生成する。
【０１６９】
ノイズ抑制回路１３７１は、交流電源からコネクタ１３７ａを介して受けたＡＣ２４Ｖの交流電圧のノイズを抑制する処理を行ない、ノイズが抑制されたＡＣ２４Ｖを得る。ＡＣ２４Ｖ電圧は、コネクタ１３７ｃから出力される。また、整流回路１３７２は、ノイズ抑制回路１３７１からＡＣ２４Ｖを受け、その交流を直流に変換して＋２１Ｖの直流電圧を生成する。その生成された＋２１Ｖの直流電圧は、コネクタ１３７ｄから出力される。また、平滑回路１３７３は、ノイズ抑制回路１３７１からＡＣ２４Ｖを受け、その交流電圧から交流成分を除去する平滑化を行なって＋３０Ｖの直流電圧を生成する。その生成された＋３０Ｖの直流電圧は、コネクタ１３７ｅから出力される。
【０１７０】
定電圧回路１３７５は、平滑回路１３７３から＋３０Ｖの直流電圧を受け、その直流電圧を変換して、一定の＋１２Ｖの直流電圧を生成する。その生成された＋１２Ｖの直流電圧は、コネクタ１３７ｇから出力される。定電圧回路１３７６は、平滑回路１３７３から＋３０Ｖの直流電圧を受け、その直流電圧を変換して、一定の＋５Ｖの直流電圧を生成する。その生成された＋５Ｖの直流電圧は、コネクタ１３７ｈから出力される。
【０１７１】
ＲＡＭバックアップ電源回路１３７７は、＋５Ｖの直流電圧、すなわち、定電圧回路１３７６により生成される＋５Ｖの直流電圧のラインから充電される。このＲＡＭバックアップ電源回路１３７７は、停電等の電源供給のしゃ断により主基板１５１に設けられている遊技制御用のマイクロコンピュータのＲＡＭの記憶データが失われないように、そのＲＡＭのバックアップ電源用の＋５Ｖの直流電圧の電力を供給する回路であり、バックアップ＋５Ｖラインとグラウンドレベルとの間に接続され、バックアップ電源用の電力を充電する大容量のコンデンサ（図示省略）を含んでいる。ＲＡＭバックアップ電源回路１３７７は、パチンコ遊技機１に対する電力供給がしゃ遮断されたときの主基板１５１における遊技制御用のマイクロコンピュータのＲＡＭ（電源バックアップされているＲＡＭすなわち記憶内容保持状態となり得る記憶手段）に対して記憶状態を保持できるように電力を供給するバックアップ電源となる。ＲＡＭバックアップ電源回路１３７７から供給されるバックアップ電源電圧は、コネクタ１３７ｉから出力される。また、＋５Ｖラインとバックアップ電源ラインとの間には、逆流防止用のダイオード（図示省略）が挿入される。
【０１７２】
なお、バックアップ電源としては、＋５Ｖ電源から充電可能な電池を用いてもよい。そのような電池を用いる場合には、＋５Ｖ電源から電力供給されない状態が所定時間係属すると容量がなくなるような充電池が用いられる。
【０１７３】
また、電源生成基板１３７０には、電源監視回路１３７４が設けられている。電源監視回路１３７４は、平滑回路１３７３から＋３０Ｖの直流電圧を受け、その＋３０Ｖ電源電圧を監視することによって電源断の発生を検出する。具体的には、＋３０Ｖ電源電圧が所定値（この例では＋１６Ｖ）以下になったら、電源断が生ずるとして電源断信号を出力する。この電源断信号は、電源監視回路１３７４からコネクタ１３７ｆを介して出力される。電源監視回路１３７４からの電源断信号は、主基板１５１や払出制御基板１４４等に供給される。
【０１７４】
電源監視回路１３７４が電源断を検知するための所定値は、通常時の電圧よりも低いが、各制御基板上のＣＰＵがしばらくの間動作し得る程度の電圧である。また、電源監視回路１３７４が、ＣＰＵを駆動するための電圧（この例では＋５Ｖ）よりも高く、かつ交流から直流に変換された直後の電圧を監視するように構成されているので、ＣＰＵが必要とする電圧に対して監視範囲を広げることができる。したがって、より精密な監視を行なうことができる。さらに、監視電圧として＋３０Ｖを用いる場合には、遊技機の各種スイッチに供給される電圧が＋１２Ｖであることから、電源瞬断時のスイッチオン誤検出の防止も期待できる。すなわち、＋３０Ｖ電源の電圧を監視すると、＋３０Ｖ作成の以降に作られる＋１２Ｖが落ち始める以前の段階でそれの低下を検出できる。よって、＋１２Ｖ電源の電圧が低下するとスイッチ出力がオン状態を呈するようになるが、＋１２Ｖよりも早く低下する＋３０Ｖ電源電圧を監視して電源断を認識すれば、スイッチ出力がオン状態を呈する前に電源復旧待ちの状態に入ってスイッチ出力を検出しない状態となることができる。
【０１７５】
また、電源監視回路１３７４は、各制御基板とは別個の電源生成基板１３７０に搭載されているので、電源監視回路１３７４から複数の制御基板に電源断信号を供給することができる。電源断信号を必要とする制御基板がいくつあっても電源監視回路１３７４は１つ設けられていればよいので、各制御基板における各制御手段が所定の電源復帰制御を行なっても、遊技機のコストはさほど上昇しない。
【０１７６】
また、この電源生成基板１３７０には、一方端が前述した静電気を受ける取付部材１４８の下端部に接続された放電用配線（図示省略）の他方端がコネクタ接続形態で接続される取付部材接続用のコネクタ１３７ｂが設けられている。また、ＡＣ２４Ｖの交流電圧を受けるコネクタ１３７ａと、ノイズ抑制回路１３７１との間に、電源放電回路１３７８が設けられている。
【０１７７】
前述した取付部材１４８が静電気を受けた場合、取付部材１４８から前述した放電用配線を介し、取付部材接続用のコネクタ１３７ｂから電源放電回路１３７８に静電気が与えられる。そして、その静電気は、電源放電回路１３７８からコネクタ１３７ａを介して交流電源に放電される。
【０１７８】
次に、図２１に示された電源放電回路１３７８の構成を詳細に説明する。図２２は、図２１に示された電源放電回路１３７８の構成を示すブロック図である。
【０１７９】
図２２を参照して、電源生成基板１３７０においては、２４Ｖの交流電圧を供給する交流電源３００が電源ライン上のノードとしてのコネクタ１３７ａ，１３７ａに接続されている。ここで、ノードとは、回路上の接続点をいい、節点ともいう。コネクタ１３７ａ，１３７ａのそれぞれは、プリント配線を介して前述したノイズ抑制回路１３７１に接続されている。
【０１８０】
電源放電回路１３７８は、コネクタ１３７ａ，１３７ａの間に直列に接続された容量手段として、同じ周波数特性を有する２つのコンデンサ１３７８ａ，１３７８ｂを含む。これらのコンデンサ１３７８ａ，１３７８ｂの間の接続ノード１３７８ｃがプリント配線を介して取付部材接続用のコネクタ１３７ｂに接続されている。
【０１８１】
このような構成により、電源放電回路１３７８におけるコネクタ１３７ａ，１３７ａの間の接続ノード１３７８ｃの電位は、通常時（静電気の放電が行なわれない場合）に０Ｖとなる。前述した取付部材１４８が静電気を受けた場合、その静電気は、取付部材１４８から、前述した放電用配線およびコネクタ１３７ｂを介し、コンデンサ１３７８ａ，１３７８ｂの間の接続ノード１３７８ｃに与えられる。
【０１８２】
一般的に、パチンコ遊技機１の場合、静電気の電位は、交流電源３００が供給する２４Ｖよりも高い電位となり、コンデンサ１３７８ａ，１３７８ｂの間の接続ノード１３７８ｃは、２４Ｖよりも高い電位を受ける。このため、取付部材１４８が静電気を受けてその静電気が電源放電回路１３７８に与えられた場合には、コンデンサ１３７８ａ，１３７８ｂの間の接続ノード１３７８ｃから、コンデンサ１３７８ａ，１３７８ｂをそれぞれ介し、図２２においてＡ，Ｂの矢印（破線により示される矢印）の示す方向に放電電流が流れ、その放電電流がコネクタ１３７ａ，１３７ａを介して、電源生成基板１３７０に設けられた交流電源３００に放電される。
【０１８３】
なお、この実施の形態では、電源放電回路１３７８がコンデンサ１３７８ａ，１３７８ｂの２つのコンデンサを含む例を示したが、これに限らず、電源放電回路１３７８として設けられるコンデンサは、コンデンサ１３７８ａ，１３７８ｂのうちのいずれか１つであってもよい。そのように電源放電回路のコンデンサを１つにした場合であっても、当該コンデンサを介して前述したような静電気の放電を行なうことができる。
【０１８４】
以上のような第３実施形態においては、次のような効果を得ることができる。パチンコ玉に帯電した静電気が、第１実施形態で説明した上皿用接触部材６ｂ、下皿用接触部材８ｂ、タンク用接触部材４ｂ、上皿誘導用接触部材５０１、および、下皿誘導用接触部材５０２のそれぞれにより受けられ、それらの静電気が、それぞれに対応して設けられた放電用配線等の導電部材を介して、放電電流として取付部材１４８に流れ、その放電電流は、取付部材１４８からさらに、前述した放電用配線、および、電源生成基板１３７０の電源放電回路１３７８等を介して交流電源３００へ流れる。このような放電電流が流れることにより、パチンコ遊技機１の内部に帯電した静電気が放電されて除去される。
【０１８５】
また、パチンコ遊技機１内に帯電する静電気には、前述したパチンコ玉に帯電した静電気のみならず、それ以外に、パチンコ遊技機１の内部および外部に存在する駆動装置等の各種静電気発生源から発生してパチンコ遊技機１の内部の各所に帯電した静電気も含まれる。そのように帯電した静電気は、前述した各接触部材を介することなく取付部材１４８が受ける場合がある。このように、取付部材１４８が直接受けた静電気も、取付部材１４８からさらに、前述した放電用配線、および、電源生成基板１３７０の電源放電回路１３７８等を介して交流電源３００へ流れる。このような放電電流が流れることにより、パチンコ遊技機１の内部に帯電した静電気が放電されて除去される。
【０１８６】
このようにパチンコ遊技機１の電源（交流電源３００）を利用して静電気を放電することにより、パチンコ遊技機１に帯電した静電気の除去を、パチンコ遊技機外部での接地配線処理等の煩雑な作業を要さず容易に行なうことができる。そして、このような静電気の除去により、静電気に起因するノイズの発生を防ぐことができ、その結果として、パチンコ遊技機１内の制御回路等の電気機器について、静電気に起因するノイズによる誤作動を防ぐことができるとともに、静電気に起因するノイズから保護することができる。
【０１８７】
また、この第３実施形態においては、第１実施形態と共通する構成部分により、前述したような放電構成を有するパチンコ遊技機において、第１実施形態で説明した効果と同様の効果を得ることができる。
【０１８８】
なお、この実施の形態においては、取付部材１４８が受けた静電気を交流電源３００にのみ放電する例を示したが、これに限らず、第１実施形態のようにカードユニット３１を用いて静電気の放電を行なう構成も加えて採用し、取付部材１４８が受けた静電気を、交流電源３００への放電およびカードユニット３１からの放電の両方により除去する構成を採用してもよい。
【０１８９】
第４実施形態
次に、第４実施形態を説明する。この第４実施形態においては、前述したような上皿用接触部材６ｂ等のパチンコ玉に接触する接触部材を設けずに、パチンコ遊技機に帯電した静電気を、前述した取付部材１４８が直接的に受けて放電する例を説明する。この第４実施形態では、前述した第１実施形態との相違点を主に説明する。したがって、以下に説明する相違点以外の部分の構成は、第１実施形態と共通する。このように、第１実施形態と共通する第４実施形態の部分の構成については、前述した第１実施形態により説明された構成がそのまま適用される。
【０１９０】
図２３は、第４実施形態によるパチンコ遊技機における静電気の放電構成を模式的に示すブロック図である。
【０１９１】
図２３を参照して、この第４実施形態が第１実施形態と異なるのは、パチンコ遊技機１ａにおいて、上皿用接触部材６ｂ等のパチンコ玉に接触する接触部材およびそれに対応して設けられた放電用配線が設けられていないことである。したがって、取付部材１４８は、パチンコ遊技機１ａに帯電した静電気をそれ自体で直接的に受ける。そして、図１８を用いて前述した接続態様と同様の接続態様（コネクタ１４４ｈにおける２ピンコネクタを用いた放電用配線１３ｂの接続）で放電用配線１３ｂが取付部材１４８と払出制御基板１４４との間に接続される。また、そして、図１７，図１８を用いて前述した接続態様と同様の接続態様（コネクタ１４４ｇにおけるカードユニット配線３５の接続）で、カードユニット配線３５が払出制御基板１４４とカードユニット３１のコネクタ３１０との間に接続される。
【０１９２】
このような構成によれば、取付部材１４８が、パチンコ玉、および、パチンコ遊技機１の内部および外部に存在する駆動装置等の各種静電気発生源から発生してパチンコ遊技機１の内部の各所に帯電した静電気を受ける。取付部材１４８が直接受けた静電気は、取付部材１４８から、放電用配線１３ｂ、払出制御基板１４４のプリント配線、カードユニット配線３５、カードユニット３１内の接地用の配線、および、電源コード３１１の接地線を介してカードユニット３１から外部へ流れる。このような放電電流が流れることにより、パチンコ遊技機１の内部に帯電した静電気が放電されて除去される。
【０１９３】
このようにカードユニット３１を利用して静電気を放電することにより、パチンコ遊技機１に帯電した静電気の除去を、パチンコ遊技機外部での接地配線処理等の煩雑な作業を要さず容易に行なうことができる。そして、このような静電気の除去により、静電気に起因するノイズの発生を防ぐことができ、その結果として、パチンコ遊技機１内の制御回路等の電気機器について、静電気に起因するノイズによる誤作動を防ぐことができるとともに、静電気に起因するノイズから保護することができる。
【０１９４】
また、取付部材１４８が、基板（払出制御基板１４４）により中継されてカードユニット３１における接地部に電気的に接続されるため、静電気の放電のための配線作業が容易になり、そのような配線作業の作業性を向上させることができる。
【０１９５】
また、取付部材１４８と払出制御基板１４４との間の放電用配線１３ｂが、１本線ではなく２本線であり、払出制御基板１４４に２ピンコネクタを用いて接続される。このように、放電用配線１３ｂが、１本線ではなく２本線であることにより、１本の場合よりも導電性（導電効率）が向上するため、静電気の放電効率を向上させることができる。
【０１９６】
また、取付部材１４８を放電中継用の基板（払出制御基板１４４）に電気的に接続する場合において、放電中継用の基板がコネクタを用いて接続されるため、静電気の放電のための配線作業がより一層容易になり、そのような配線作業の作業性をより一層向上させることができる。
【０１９７】
なお、この第４実施形態においては、接触部材および対応する放電用配線を設けない例が第１実施形態に適用される場合を説明したが、このように接触部材を設けない例は、前述した第２および第３実施形態についても適用可能である。その場合、第２についての放電先は、第１実施形態の場合と同様にカードユニット３１であり、第３実施形態についての放電先は、第３実施形態のように前述した交流電源３００である。
【０１９８】
また、この第４実施形態においては、取付部材１４８が、払出制御基板１４４により中継されてカードユニット３１における接地部に電気的に接続される例を示した。しかし、これに限らず、取付部材１４８がカードユニット３１との接続のためにパチンコ遊技機に設けられるインターフェイス基板等のカードユニット３１との接続用の基板（接続専用の基板であってもよい）により中継されてカードユニット３１における接地部に電気的に接続される構成であってもよい。
【０１９９】
また、この第４実施形態においては、取付部材１４８と払出制御基板１４４との間の放電用配線１３ｂが、２本線であり、払出制御基板１４４に２ピンコネクタを用いて接続される例を示した。しかし、これに限らず、放電用配線１３ｂは、２本線よりも多い複数本（３本以上）の配線であり、払出制御基板１４４に２ピンよりも多い複数のピン数（３ピン以上）を有するコネクタを用いて接続されるようにしてもよい。つまり、放電用配線１３ｂは、２本以上の複数本の配線であり、払出制御基板１４４に２ピン以上の複数のピン数を有するコネクタを用いて接続されるようにしてもよい。
【０２００】
また、以上説明した実施の形態における変形例や特徴点等を以下に列挙する。（１）  前述した実施の形態においては、本発明がパチンコ遊技機に適用される例を代表例として説明した。ところで、前述したように、本発明は、スロットマシン等のその他の遊技媒体を使用する遊技機にも適用可能である。たとえば、スロットマシンにおいては、遊技媒体としてコインを使用して遊技が行なわれる。前述したパチンコ玉の貯留タンク１０５はスロットマシンにおける払出用の補給コインの貯留部に相当し、前述した上皿１９は、スロットマシンにおける払出コインの受け皿（貯留部）に相当する。
【０２０１】
（２）  前述した実施の形態においては、タンク用接触部材４ｂ、上皿誘導用接触部材５０１、下皿誘導用接触部材５０２、上皿用接触部材６ｂ、下皿用接触部材８ｂ、樋部用接触部材７ｂ、取付部材１４８、軸ピン３８を含む軸受金具３７、および、蝶着部材１７等の放電経路を構成する部材を金属により構成する例を示した。しかし、これに限らず、これらの放電経路を構成する部材は、導電性の合成樹脂で構成されていてもよい。つまり、これらの放電経路を構成する部材は、導電性部材であればよい。
【０２０２】
（３）  前述した実施の形態においては、タンク用接触部材４ｂ、上皿誘導用接触部材５０１、下皿誘導用接触部材５０２、上皿用接触部材６ｂ、下皿用接触部材８ｂ、および、樋部用接触部材７ｂ等の接触部材をすべて設ける例を示した。しかし、これに限らず、前述した実施の形態で示した接触部材は、１または複数種類を適宜組み合わせてパチンコ遊技機に設けるようにしてもよい。
【０２０３】
（４）  前述した実施の形態においては、機構部１００が板状をなし、軸支されて開閉可能なものである例を示した。しかし、これに限らず、機構部は、開閉不可能なユニット式のものであってもよい。
【０２０４】
（５）  前述した実施の形態においては、機構部１００が透明度がある合成樹脂製である例を示した。しかし、これに限らず、機構部１００は、静電気の帯電を防ぐことが可能な合成樹脂である帯電防止樹脂（導電性樹脂）を透明性を保持できる態様で着色（クリアカラー）して用いて構成されてもよい。この帯電防止樹脂は、一般的に素材の透明性が悪く、そのまま使用したのでは、見栄えが悪い。ところが、単に通常色で着色したのでは、透明性が担保できず、機構部１００内の玉の通路が外部から見えなくなる。したがって、機構部１００を、透明性を保持できる態様で着色した帯電防止樹脂（導電性樹脂）を用いることにより、見栄えが良くなるとともに、機構部１００内の玉の通路が外部から見えるようにすることができる機構部を提供することができる。
【０２０５】
（６）  前述した実施の形態においては、主として、機構部１００での玉の通路に関係する部分および玉の貯留部に接触部材を設けて静電気を放電するようにした。これに限らず、たとえば、第１入賞玉誘導カバー体７０および第２入賞玉誘導カバー体７１等の遊技盤４０において玉が流れる部分に同じ態様で導電性の接触部材を設けて静電気を放電するようにしてもよい。
【０２０６】
（７）  図１等に示されたパチンコ遊技機１により、遊技媒体（カード）を用いて遊技が行なわれる遊技機が構成されている。図２１等に示された電源生成基板１３７０により、前記遊技機を動作させる電力の供給のために用いられる電力供給用基板が構成されている。図２２に示されたコンデンサ１３８ａ，１３８ｂにより、前記電力供給用基板において電源電力を受ける電源ライン（交流電源３００から電源電力が供給されるライン）上のノード（コネクタ１３７ａ，１３７ａ）に接続された態様で前記電力供給用基板上に設けられたコンデンサが構成されている。図６〜図１３、図１９、図２０に示されるように、タンク用接触部材４ｂ、上皿誘導用接触部材５０１、下皿誘導用接触部材５０２、上皿用接触部材６ｂ、下皿用接触部材８ｂ、樋部用接触部材７ｂにより、前記遊技媒体と接触可能な所定位置に設けられた導電性を有する接触部材が構成されている。タンク用接触部材４ｂ、上皿誘導用接触部材５０１、下皿誘導用接触部材５０２、上皿用接触部材６ｂ、下皿用接触部材８ｂ、樋部用接触部材７ｂ、取付部材１４８、放電用配線、軸ピン３８を含む軸受金具３７、蝶着部材１７、電源生成基板１３７、および、電源放電回路１３７８等の放電関連部材の構成を図示した図６〜図２２等に示されるように、前記遊技機においては、前述した接触部材が受けた静電気の放電が可能な態様で、当該接触部材を前記コンデンサを介して前記電源ライン上のノードに電気的に接続している。この構成における前記電力供給用基板は、前述した電源生成基板１３７０に限らず、遊技機を動作させる電力の供給のために用いられる基板であればよい。たとえば、電力の供給を中継するための中継基板であってもよい。つまり、前記電力供給用基板は、電源電力を受ける電源ノードがあること、すなわち、前述した交流電源３００に接続されているものであれば、どのような機能を有する基板であってもよい。
【０２０７】
（８）  前記（７）における前記電力供給用基板は、電源電圧が異なる複数種類の電源電力を生成する電源生成基板（電源生成基板１３７０）に限定されてもよい。この場合の電源生成基板の電源電力の供給先は、少なくとも、遊技状態を制御する主基板１５１（遊技制御基板）、音を発生する制御を行なう音制御基板（効果音制御基板８２）、および、発光手段（ランプ，ＬＥＤ等）の制御を行なう発光制御手段（電飾制御基板８０）であればよい。
【０２０８】
（９）  図１７に示されるように、記録媒体処理装置（カードユニット３１）における接地部（電源コード３１１，差込みプラグ３１２）は、遊技機（パチンコ遊技機１）に設けられた通電可能な所定の基板（払出制御基板１４４）に接続されている。図６および図７等に示されるように、遊技媒体と接触可能な所定位置に設けられた導電性を有する接触部材（タンク用接触部材４ｂ、上皿誘導用接触部材５０１、下皿誘導用接触部材５０２、上皿用接触部材６ｂ、下皿用接触部材８ｂ、樋部用接触部材７ｂ）は、前記基板により中継されて記録媒体処理装置における接地部に電気的に接続される。このような構成において、前記接触部材と前記基板とは、コネクタにより接続される。このように構成されれば、接触部材を放電中継用の基板に電気的に接続する場合において、放電中継用の基板がコネクタを用いて接続されるため、静電気の放電のための配線作業がより一層容易になり、そのような配線作業の作業性をより一層向上させることができる。
【０２０９】
（１０）  前記（９）の構成においては、図１８に示されるように、前記接触部材と前記基板とは、２本の配線（導線）（放電用配線１３ｂに含まれる導線）によって電気的に接続されている。図１８に示されるように、前記２本の導線は、２つの接続端子を有するコネクタを用いた接続形態により、前記導電性部材と前記基板との間に接続される。なお、前記配線が２本以上の数の配線であり、前記コネクタが前記２つ以上の接続端子を有するコネクタであってもよい。このように構成されれば、接触部材からの配線と基板とは、複数（たとえば２本）の配線によって電気的に接続され、これら複数の配線が複数（たとえば２つ）の接続端子を有するコネクタを用いた接続形態により導電性部材と基板との間に接続されるので、導線が１本の場合よりも導電性部材と基板との間の導電性が向上するため、静電気の放電効率を向上させることができる。また、コネクタを用いて接続されるため、静電気の放電のための配線作業がより一層容易になり、そのような配線作業の作業性をより一層向上させることができる。
【０２１０】
（１１）  図１０に示された上皿誘導用接触部材５０１により、遊技媒体と接触可能な所定位置に設けられた導電性を有する接触部材に含まれ、前記遊技媒体を払出す機構を有する機構部（機構部１００）において払出された遊技媒体を該遊技媒体の貯留および発射位置（打球発射装置８７による玉の発射位置）への誘導が可能な払出遊技媒体貯留部（上皿１９）まで誘導する払出遊技媒体誘導通路（払出球通路２４ａ）において、遊技媒体と接触可能な所定位置に設けられた払出遊技媒体用接触部材が構成されている。図１０に示された下皿誘導用接触部材５０２により、前記接触部材に含まれ、前記払出遊技媒体貯留部（上皿１９）が遊技媒体で満杯の場合に、前記機構部に形成された通路であって、余剰の遊技媒体を当該余剰の遊技媒体の貯留および発射位置（打球発射装置８７による玉の発射位置）への誘導が可能な余剰遊技媒体貯留部（下皿２７）へ誘導する余剰遊技媒体誘導通路（余剰球通路１２８）において、遊技媒体と接触可能な所定位置に設けられた余剰遊技媒体用接触部材が構成されている。このような構成において、前記払出遊技媒体用接触部材と、余剰遊技媒体用接触部材とは、一体的に構成されていてもよい。つまり、図１０に示された上皿誘導用接触部材５０１と下皿誘導用接触部材５０２とは、分割構成されているが、これに限らず、一体的に構成されていてもよい。
【０２１１】
（１２）  前記（１１）の余剰遊技媒体用接触部材は、分割構成されている場合には、第１の部材（上皿誘導用接触部材５０１における下皿誘導部５０１ｂ）と、第２の部材（下皿誘導用接触部材５０２）とにより構成されている（図１０参照）。
【０２１２】
（１３）  前述した第３実施形態においては、電源放電回路１３７８回路に含まれる放電用のコンデンサが２つである場合と、１つである場合とを説明した。電源放電回路１３７８回路に設けられる放電用のコンデンサは、２つである方がより好ましい。
【０２１３】
（１４）  前述した実施の形態においては、遊技に使用可能なカードが磁気カードであり、カードユニット３１が磁気カードを処理する構成のものである場合を一例として示した。しかし、これに限らず、遊技に使用可能なカードとしては、ＩＣカード（接触型のＩＣカードと、非接触型のＩＣカードとのいずれのＩＣカードも含む）等のその他の種類の記録媒体を用いてもよい。そして、カードユニット３１としては、遊技に使用されるカードに合わせて、ＩＣカードを処理可能なカードユニット等のその他の種類の記録媒体処理装置で構成されてもよい。
【０２１４】
（１５）  図２３に示されるように、遊技媒体（パチンコ玉）を払出す機構を有する機構部に設けられる導電性部材（取付部材１４８）が受けた静電気の放電が可能な態様で、当該導電性部材が記録媒体処理装置（カードユニット３１）の接地部（電源コード３１１，差込みプラグ３１２）に電気的に接続している。この場合において、機構部に設けられる導電性部材は、図２３に示されるように、基板により中継されて前記記録媒体処理装置における前記接地部に電気的に接続される。この構成における前記基板は、前記遊技媒体の払出しを制御するための払出制御基板（払出制御基板１４４）である。
【０２１５】
（１６）  なお、前述した実施の形態での記録媒体処理装置（カードユニット３１）における接地部は、必ずしも電気的に接地されているものに限らない。つまり、そのような接地部は、接地可能な構造となっているものであれば、すべて本発明における接地部の概念に含まれる。
【０２１６】
（１７）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０２１７】
【課題を解決するための手段の具体例】
（１）  図１等に示されたパチンコ遊技機１により、遊技に使用可能な記録媒体（カード）について所定処理を行なう機能を有し、電気的に接地可能な接地部（電源コード３１１，差込みプラグ３１２）を有する記録媒体処理装置（カードユニット３１）が電気的に接続可能であり、遊技媒体（パチンコ玉）を用いて遊技が行なわれる遊技機が構成されている。図６〜図１３、図１９、図２０等に示されるタンク用接触部材４ｂ、上皿誘導用接触部材５０１、下皿誘導用接触部材５０２、上皿用接触部材６ｂ、下皿用接触部材８ｂ、樋部用接触部材７ｂにより、前記遊技媒体と接触可能な所定位置に設けられた導電性を有する接触部材が構成されている。タンク用接触部材４ｂ、上皿誘導用接触部材５０１、下皿誘導用接触部材５０２、上皿用接触部材６ｂ、下皿用接触部材８ｂ、樋部用接触部材７ｂ、取付部材１４８、放電用配線、軸ピン３８を含む軸受金具３７、蝶着部材１７、および、払出制御基板１４４等の放電関連部材の構成を図示した図６〜図２０等に示されるように、前記遊技機においては、該接触部材が受けた静電気の放電が可能な態様で、当該接触部材を前記記録媒体処理装置の前記接地部に電気的に接続している。
【０２１８】
（２）  図１７に示されるように、前記記録媒体処理装置における前記接地部は、前記遊技機に設けられた通電可能な所定の基板（払出制御基板１４４）に接続されている。図６および図７等に示されるように、前記接触部材は、前記基板により中継されて前記記録媒体処理装置における前記接地部に電気的に接続される。
【０２１９】
（３）  図１等に示されたパチンコ遊技機１により、遊技媒体（カード）を用いて遊技が行なわれる遊技機が構成されている。図２１等に示された電源生成基板１３７０により、前記遊技機を動作させる電力の供給のために用いられる電力供給用基板が構成されている。図２２に示されたコンデンサ１３８ａ，１３８ｂにより、前記電力供給用基板において電源電力を受ける電源ライン（交流電源３００から電源電力が供給されるライン）上のノード（コネクタ１３７ａ，１３７ａ）に接続された態様で前記電力供給用基板上に設けられたコンデンサが構成されている。図６〜図１３、図１９、図２０に示されるように、タンク用接触部材４ｂ、上皿誘導用接触部材５０１、下皿誘導用接触部材５０２、上皿用接触部材６ｂ、下皿用接触部材８ｂ、樋部用接触部材７ｂにより、前記遊技媒体と接触可能な所定位置に設けられた導電性を有する接触部材が構成されている。タンク用接触部材４ｂ、上皿誘導用接触部材５０１、下皿誘導用接触部材５０２、上皿用接触部材６ｂ、下皿用接触部材８ｂ、樋部用接触部材７ｂ、取付部材１４８、放電用配線、軸ピン３８を含む軸受金具３７、蝶着部材１７、電源生成基板１３７、および、電源放電回路１３７８等の放電関連部材の構成を図示した図６〜図２２等に示されるように、前記遊技機においては、前述した接触部材が受けた静電気の放電が可能な態様で、当該接触部材を前記コンデンサを介して前記電源ライン上のノードに電気的に接続している。
【０２２０】
（４）  図８等に示された貯留タンク１０５により、前記遊技機に補給された前記遊技媒体を貯留する補給遊技媒体貯留部が構成されている。図８等に示されたタンク用接触部材４ｂにより、前記接触部材に含まれ、前記補給遊技媒体貯留部において遊技媒体と接触可能な所定位置に設けられた補給遊技媒体用接触部材が構成されている。
【０２２１】
（５）  図１０に示された上皿誘導用接触部材５０１により、前記接触部材に含まれ、前記遊技媒体を払出す機構を有する機構部（機構部１００）において払出された遊技媒体を該遊技媒体の貯留および発射位置（打球発射装置８７による玉の発射位置）への誘導が可能な払出遊技媒体貯留部（上皿１９）まで誘導する払出遊技媒体誘導通路（払出球通路２４ａ）において、遊技媒体と接触可能な所定位置に設けられた払出遊技媒体用接触部材が構成されている。
【０２２２】
（６）  図９に示された上皿用接触部材６ｂにより、前記接触部材に含まれ、前記遊技媒体を払出す機構を有する機構部（機構部１００）において払出された遊技媒体の貯留および発射位置（打球発射装置８７による玉の発射位置）への誘導が可能な払出遊技媒体貯留部（上皿１９）に形成されて遊技媒体を整列させ、発射位置に誘導する整列通路（発射誘導通路部１９ａ）において、遊技媒体と接触可能な所定位置に設けられた整列遊技媒体用接触部材が構成されている。
【０２２３】
（７）  図１０に示された下皿誘導用接触部材５０２により、前記接触部材に含まれ、前記遊技媒体を払出す機構を有する機構部（機構部１００）において払出された遊技媒体の貯留および発射位置（打球発射装置８７による玉の発射位置）への誘導が可能な払出遊技媒体貯留部（上皿１９）が遊技媒体で満杯の場合に、前記機構部に形成された通路であって、余剰の遊技媒体を当該余剰の遊技媒体の貯留が可能な余剰遊技媒体貯留部（下皿２７）へ誘導する余剰遊技媒体誘導通路（余剰球通路１２８）において、遊技媒体と接触可能な所定位置に設けられた余剰遊技媒体用接触部材が構成されている。
【０２２４】
（８）  図１２に示された下皿用接触部材８ｂにより、前記接触部材に含まれ、前記遊技媒体を払出す機構を有する機構部（機構部１００）において払出された遊技媒体の貯留および発射位置（打球発射装置８７による玉の発射位置）への誘導が可能な払出遊技媒体貯留部（上皿１９）が遊技媒体で満杯の場合に前記機構部を経て誘導されてきた余剰の遊技媒体を当該余剰の遊技媒体の貯留が可能な余剰遊技媒体貯留部（下皿２７）に誘導する貯留遊技媒体誘導通路（下皿用開口９３）において、遊技媒体と接触可能な所定位置に設けられた貯留誘導遊技媒体用接触部材が構成されている。
【０２２５】
（９）  図１０、図１２、図１４等に示されるように、前記接触部材の接続は、前記遊技機の開閉部において蝶着部を構成する導電性部材（軸ピン３８、軸受金具３７，３７、取付部材１４８等）により中継される。
【０２２６】
（１０）  図２３に示されたパチンコ遊技機１ａにより、遊技に使用可能な記録媒体（カード）について所定処理を行なう機能を有し、電気的に接地可能な接地部（電源コード３１１，差込みプラグ３１２）を有する記録媒体処理装置（カードユニット３１）が電気的に接続可能であり、遊技媒体を用いて遊技が行なわれる遊技機が構成されている。図２３に示されるように、前記遊技機においては、前記遊技媒体を払出す機構を有する機構部（機構部１００、図３等参照）に設けられる導電性部材（取付部材１４８）が受けた静電気の放電が可能な態様で、当該導電性部材を前記記録媒体処理装置の前記接地部に電気的に接続している。図２３に示されるように、前記記録媒体処理装置における前記接地部は、前記遊技機に設けられた通電可能な所定の基板（払出制御基板１４４）に接続されている。図２３に示されるように、前記機構部に設けられる導電性部材は、前記基板により中継されて前記記録媒体処理装置における前記接地部に電気的に接続される。
【０２２７】
（１１）  図２３および図２３で引用する図１８に示されるように、前記機構部に設けられる前記導電性部材と前記基板とは、複数（２本）の配線（放電用配線１３ｂに含まれる導線）によって電気的に接続されている。図２３および図２３で引用する図１８に示されるように、前記複数（２本）の配線は、複数（２つ）の接続端子を有するコネクタを用いた接続形態により、前記基板に接続される。
【０２２８】
【課題を解決するための手段の具体例の効果】
請求項１に関しては、次のような効果を得ることができる。遊技媒体と接触可能な所定位置に設けられた導電性を有する接触部材を、接触部材が受けた静電気の放電が可能な態様で、当該接触部材を記録媒体処理装置の接地部に電気的に接続したため、遊技媒体に帯電した静電気を接触部材により受け、記録媒体処理装置の接地部を介して放電することができる。このように記録媒体処理装置を利用して静電気を放電することにより、遊技機に帯電した静電気の除去を、遊技機外部での接地配線処理等の煩雑な作業を要さず容易に行なうことができる。そして、このような静電気の除去により、静電気に起因するノイズの発生を防ぐことができ、その結果として、制御回路等の電気機器について、静電気に起因するノイズによる誤作動を防ぐことができるとともに、静電気に起因するノイズから保護することができる。また、接触部材が第１のコネクタにより電気的に接続される基板と、該基板の第２のコネクタに纏めて接続される複数本の配線中の静電気放電用配線とを介して、接触部材が記録媒体処理装置における接地部に電気的に接続されるため、静電気の放電のための配線作業が容易になり、そのような配線作業の作業性を向上させることができる。
【０２３１】
請求項２に関しては、請求項１に関する効果に加えて、次のような効果を得ることができる。接触部材が、遊技機に補給された遊技媒体を貯留する補給遊技媒体貯留部において遊技媒体と接触可能な所定位置に設けられた補給遊技媒体用接触部材を含むため、遊技機に補給された段階で遊技媒体に帯電している静電気を除去することができる。
【０２３２】
請求項３に関しては、請求項１または２に関する効果に加えて、次のような効果を得ることができる。接触部材が、払出装置から払出された遊技媒体を該遊技媒体の貯留および発射位置への誘導が可能な払出遊技媒体貯留部まで誘導する払出遊技媒体誘導通路において、遊技媒体と接触可能な所定位置に設けられた払出遊技媒体用接触部材を含むため、払出装置から払出され、払出遊技媒体貯留部に貯留される前の段階で遊技媒体に帯電している静電気を除去することができる。これにより、払出遊技媒体貯留部に貯留された遊技媒体から遊技者への静電気の放電を防ぎ、静電気の放電による不快感を遊技者に与えないようにすることができる。
【０２３３】
請求項４に関しては、請求項１から３のいずれかに関する効果に加えて、次のような効果を得ることができる。接触部材が、払出装置から払出された遊技媒体の貯留および発射位置への誘導が可能な払出遊技媒体貯留部に形成されて遊技媒体を整列させ、発射位置に誘導する整列通路において、遊技媒体と接触可能な所定位置に設けられた整列遊技媒体用接触部材を含むため、払出装置から払出され、払出遊技媒体貯留部に貯留された後に整列誘導される段階で遊技媒体に帯電している静電気を除去することができる。これにより、整列された遊技媒体が発射位置に誘導される前に遊技媒体に帯電している静電気を除去することができる。これにより、静電気の放電による不快感を遊技者に与えないようにすることができる。
【０２３４】
請求項５に関しては、請求項１から４のいずれかに関する効果に加えて、次のような効果を得ることができる。接触部材が、払出装置から払出された遊技媒体の貯留および発射位置への誘導が可能な払出遊技媒体貯留部が遊技媒体で満杯の場合に、払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、遊技媒体と接触可能な所定位置に設けられた余剰遊技媒体用接触部材を含むため、払出装置から払出され、払出遊技媒体貯留部に貯留できずに余剰遊技媒体貯留部に貯留される前の段階で遊技媒体に帯電している静電気を機構部において除去することができる。これにより、余剰遊技媒体貯留部に貯留された遊技媒体から遊技者への静電気の放電を防ぎ、静電気の放電による不快感を遊技者に与えないようにすることができる。
【０２３５】
請求項６に関しては、請求項１から５のいずれかに関する効果に加えて、次のような効果を得ることができる。接触部材が、払出装置から払出された遊技媒体の貯留および発射位置への誘導が可能な払出遊技媒体貯留部が遊技媒体で満杯の場合に払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、遊技媒体と接触可能な所定位置に設けられた貯留誘導遊技媒体用接触部材を含むため、払出装置から払出され、払出遊技媒体貯留部に貯留できずに余剰遊技媒体貯留部に貯留される前の段階で遊技媒体に帯電している静電気を機構部外で除去することができる。これにより、余剰遊技媒体貯留部に貯留された遊技媒体から遊技者への静電気の放電を防ぎ、静電気の放電による不快感を遊技者に与えないようにすることができる。
【０２３６】
請求項７に関しては、請求項１から６のいずれかに関する効果に加えて、次のような効果を得ることができる。接触部材の接続が遊技機の開閉部において蝶着部を有する導電性部材により中継されるため、この導電性部材の中継の長さの分だけ静電気の放電のための配線の長さを短くすることができる。これにより、配線の部品点数を減少させることができ、遊技機の製造コストを低減することができる。また、蝶着部において枠のような開閉部の開閉時に配線が開閉部に噛み込むことを防止することができる。
【０２３８】
請求項８に関しては、請求項１から７のいずれかに関する効果に加えて、次のような効果を得ることができる。払出装置が設けられて遊技媒体を払出すための機構部における導電性部材と基板とは、複数の配線によって電気的に接続され、これら複数の配線が複数の接続端子を有する第１のコネクタを用いた接続形態により基板に接続されるので、導線が１本の場合よりも導電性部材と基板との間の導電性が向上するため、静電気の放電効率を向上させることができる。また、第１のコネクタを用いて接続されるため、静電気の放電のための配線作業がより一層容易になり、そのような配線作業の作業性をより一層向上させることができる。
【図面の簡単な説明】
【図１】  パチンコ遊技機の正面図である。
【図２】  パチンコ遊技機に設けられた遊技盤の拡大正面図である。
【図３】  パチンコ遊技機の背面図である。
【図４】  パチンコ遊技機に設けられた制御回路のブロック図である。
【図５】  パチンコ遊技機に設けられた制御回路のブロック図である。
【図６】  パチンコ遊技機における静電気の放電のための構成の一部を示すパチンコ遊技機の正面図である。
【図７】  パチンコ遊技機における静電気の放電のための構成の一部を示すパチンコ遊技機の裏面図である。
【図８】  貯留タンクにおけるタンク用接触部材および放電用配線の設置態様を示す斜視図である。
【図９】  上皿における上皿用接触部材および放電用配線の設置態様を示す斜視図である。
【図１０】  機構部に設けられた上皿誘導用接触部材、下皿誘導用接触部材、および、放電用配線の設置態様を示す斜視図である。
【図１１】  上皿誘導用接触部材および下皿誘導用接触部材の取付態様を示す機構部の分解斜視図である。
【図１２】  前面枠の裏面側における下皿用接触部材、放電用配線および放電用配線の設置態様を示す斜視図である。
【図１３】  下皿用接触部材および放電用配線の取付態様を示す下皿部分の分解斜視図である。
【図１４】  蝶着部材についての放電用配線および放電用配線の設置態様を示す斜視図である。
【図１５】  取付部材および放電用配線の設置態様を示す機構部の上部の斜視図である。
【図１６】  取付部材および放電用配線の設置態様を示す機構部の上部の斜視図である。
【図１７】  パチンコ遊技機とカードユニット装置との間の接続態様を示す斜視図である。
【図１８】  払出制御基板における放電用配線およびカードユニット配線のそれぞれの接続態様を示す遊技機裏面側の斜視図である。
【図１９】  第２実施形態による前面枠の裏面側における樋部に設けられた接触部材を説明するための斜視図である。
【図２０】  第２実施形態による樋部用接触部材の取付態様を示す樋部の斜視図である。
【図２１】  第３実施形態による電源生成基板の一構成例を示すブロック図である。
【図２２】  図２１に示された電源放電回路の構成を示すブロック図である。
【図２３】  第４実施形態によるパチンコ遊技機における静電気の放電構成を模式的に示すブロック図である。
【符号の説明】
１はパチンコ遊技機（遊技機）、３１１は電源コード、３１２は差込みプラグ（接地部）、３１はカードユニット（記録媒体処理装置）、４ｂはタンク用接触部材（接触部材，補給遊技媒体用接触部材）、５０１は上皿誘導用接触部材（接触部材，払出遊技媒体用接触部材）、５０２は下皿誘導用接触部材（接触部材，余剰遊技媒体用接触部材）、６ｂは上皿用接触部材（接触部材，整列遊技媒体用接触部材）、８ｂは下皿用接触部材（接触部材，貯留誘導遊技媒体用接触部材）、７ｂは樋部用接触部材（接触部材）、１４８は取付部材（導電性部材）、１０ｂ，１１ｂ，９ｂ，１２ｂ，１３ｂ，１４ｂ，４４ｂは放電用配線、３８は軸ピン（導電性部材）、３７は軸受金具（導電性部材）、１７は蝶着部材（導電性部材）、１４４は払出制御基板（基板，導電性部材）、１３８ａ，１３８ｂはコンデンサ（コンデンサ）、１３７ａ，１３７ｂはコネクタ（電源ノード）、３００は交流電源、１０５は貯留タンク（補給遊技媒体貯留部）、１００は機構部（機構部）、１９は上皿（払出遊技媒体貯留部）、２４ａは払出球通路（払出遊技媒体誘導通路）、１９ａは発射誘導通路部（整列通路）、１２８は余剰球通路（余剰遊技媒体誘導通路）、９３は下皿用開口（貯留遊技媒体誘導通路）である。
【図１】
0003856614.tif 000002
【図２】
0003856614.tif 000003
【図３】
0003856614.tif 000004
【図４】
0003856614.tif 000005
【図５】
0003856614.tif 000006
【図６】
0003856614.tif 000007
【図７】
0003856614.tif 000008
【図８】
0003856614.tif 000009
【図９】
0003856614.tif 000010
【図１０】
0003856614.tif 000011
【図１１】
0003856614.tif 000012
【図１２】
0003856614.tif 000013
【図１３】
0003856614.tif 000014
【図１４】
0003856614.tif 000015
【図１５】
0003856614.tif 000016
【図１６】
0003856614.tif 000017
【図１７】
0003856614.tif 000018
【図１８】
0003856614.tif 000019
【図１９】
0003856614.tif 000020
【図２０】
0003856614.tif 000021
【図２１】
0003856614.tif 000022
【図２２】
0003856614.tif 000023
【図２３】
0003856614.tif 000024